(57)【要約】情報を入手する方法、デバイス、および装置、ならびにコンピュータ記憶媒体が、提供される。情報を入手する方法において、第１のノードが、第２のノードによって伝送されたメッセージを受信し、メッセージは、第２のノードのセル群に関連し、各セル群は、１つ以上のセルを含み、各セルは、同一の広帯域キャリアに属する。第１のノードは、メッセージから第２のノードの下のセルについての情報、すなわち、各セル群の中のセルについての情報を入手する。情報を入手するためのデバイスおよび装置、ならびに記憶媒体が、さらに提供される。
2021523614.tif 000002
【特許請求の範囲】
【請求項１】
情報を入手する方法であって、前記方法は、
第１のノードによって、第２のノードによって伝送されたメッセージを受信することであって、前記メッセージは、前記第２のノードのセル群に関連し、前記セル群の中の各セルは、同一の広帯域キャリアに属する、ことと、
前記第１のノードによって、前記メッセージから前記第２のノードの下のセルについての情報を入手することと
を含む、方法。
【請求項２】
前記メッセージは、前記第２のノードの下の１つ以上のセルについての情報を搬送し、前記セルのうちの各セルについての情報は、セル識別子と、１つ以上の物理的セルについての情報とを備え、または、
前記各セルについての前記情報は、セル識別と、１つ以上の物理的セルについての情報と、セルが前記セル群に属するかどうかの指示とを備え、
前記物理的セルのうちの各物理的セルについての情報は、
物理的セル識別子（ＰＣＩ）、周波数点情報、帯域幅、物理的セルが同期信号および物理的ブロードキャストチャネルブロック（ＳＳＢ）を備えているかどうかの情報、前記ＳＳＢが残留最小システム情報（ＲＭＳＩ）に関連付けられているかどうかの指示、前記ＳＳＢが同期信号ラスタ上にあるかどうかの情報、またはセル役割指示のうちの少なくとも１つを備えている、請求項１に記載の情報を入手する方法。
【請求項３】
前記メッセージは、１つ以上のセル群についての情報を搬送し、前記セル群のうちの各セル群についての情報は、前記第２のノードの下の１つ以上のセルについての情報と、セル群のセル群識別子とを備え、
前記各セルは、ＳＳＢを備え、前記ＳＳＢは、ＲＭＳＩに関連付けられており、
前記各セルについての情報は、セル識別子と、
ＰＣＩ、周波数点情報、帯域幅、前記各セルの前記ＳＳＢが同期信号ラスタ上にあるかどうかの情報、またはセル役割指示のうちの少なくとも１つとを備えている、請求項１に記載の情報を入手する方法。
【請求項４】
前記メッセージは、１つ以上のセル群についての情報を搬送し、前記セル群のうちの各セル群についての情報は、前記第２のノードの下の１つ以上のセルについての情報と、セル群のセル群識別子とを備え、
前記各セルは、ＳＳＢを備え、前記ＳＳＢは、ＲＭＳＩに関連付けられておらず、
前記各セルについての情報は、
ＰＣＩ、周波数点情報、帯域幅、前記各セルのＳＳＢが同期信号ラスタ上にあるかどうかの情報、またはセル役割指示のうちの少なくとも１つを備えている、請求項１に記載の情報を入手する方法。
【請求項５】
前記メッセージは、１つ以上のセル群についての情報を搬送し、前記セル群のうちの各セル群についての情報は、前記第２のノードの下の１つ以上のセルについての情報と、セル群のセル群識別子とを備え、
前記各セルは、ＳＳＢを備えておらず、
前記各セルについての情報は、
ＰＣＩ、周波数点情報、帯域幅、またはセル役割指示のうちの少なくとも１つを備えている、請求項１に記載の情報を入手する方法。
【請求項６】
情報を入手する方法であって、前記方法は、
第１のノードによって、第２のノードによって伝送されたメッセージを受信することを含み、前記メッセージは、前記第２のノードの下の１つ以上のセルについての情報を搬送し、前記セルのうちの各セルについての情報は、セル識別子を備え、
前記各セルについての情報は、
セルが属する広帯域キャリアの広帯域キャリア識別子、前記セルが前記広帯域キャリアに属するかどうかの情報、物理的セル識別子（ＰＣＩ）、周波数点情報、帯域幅、前記セルが同期信号および物理的ブロードキャストチャネルブロック（ＳＳＢ）を備えているかどうかの情報、前記ＳＳＢが残留最小システム情報（ＲＭＳＩ）に関連付けられているかどうかの指示、前記ＳＳＢが同期信号ラスタ上にあるかどうかの情報、またはセル役割指示のうちの少なくとも１つをさらに備えている、方法。
【請求項７】
前記メッセージは、前記第２のノードの下の１つ以上のセルについての情報を搬送し、前記各セルは、前記ＳＳＢを備え、前記ＳＳＢは、ＲＭＳＩに関連付けられており、
前記各セルについての前記情報は、前記セル識別子と、前記セルが属する前記広帯域キャリアの広帯域キャリア識別子と、
前記ＰＣＩ、前記周波数点情報、前記帯域幅、前記セルの前記ＳＳＢが前記同期信号ラスタ上にあるかどうかの前記情報、または前記セル役割指示のうちの少なくとも１つと
を備えている、請求項６に記載の情報を入手する方法。
【請求項８】
前記メッセージは、前記第２のノードの下の１つ以上のセルについての情報を搬送し、前記各セルは、前記ＳＳＢを備え、前記ＳＳＢは、前記ＲＭＳＩに関連付けられておらず、
前記各セルについての前記情報は、前記セル識別子と、前記セルが属する前記広帯域キャリアの広帯域キャリア識別子と、
前記ＰＣＩ、前記周波数点情報、前記帯域幅、前記セルの前記ＳＳＢが前記同期信号ラスタ上にあるかどうかの前記情報、または前記セル役割指示のうちの少なくとも１つと
を備えている、請求項６に記載の情報を入手する方法。
【請求項９】
前記メッセージは、前記第２のノードの下の１つ以上のセルについての情報を搬送し、前記各セルは、ＳＳＢを備えておらず、
前記各セルについての前記情報は、前記セル識別子と、前記セルが属する前記広帯域キャリアの広帯域キャリア識別子と、
前記ＰＣＩ、前記周波数点情報、前記帯域幅、または前記セル役割指示のうちの少なくとも１つと
を備えている、請求項６に記載の情報を入手する方法。
【請求項１０】
前記セル識別子は、新規無線アクセスセルグローバル識別子（ＮＣＧＩ）を備えている、請求項２、３、および６−９のいずれか１項に記載の情報を入手する方法。
【請求項１１】
前記第２のノードの下のセルが周波数分割二重（ＦＤＤ）サービングセルであるという条件において、前記周波数点情報は、アップリンク新規無線アクセス絶対無線周波数チャネル番号（ＮＲ−ＡＲＦＣＮ）と、ダウンリンクＮＲ−ＡＲＦＣＮとを備え、
前記第２のノードの下の前記セルがＦＤＤ隣接セルであるという条件において、前記周波数点情報は、前記ダウンリンクＮＲ−ＡＲＦＣＮを備え、
前記第２のノードの下の前記セルが時分割二重（ＴＤＤ）サービングセルまたはＴＤＤ隣接セルであるという条件において、前記周波数点情報は、ＮＲ−ＡＲＦＣＮを備えている、請求項２−９のいずれか１項に記載の情報を入手する方法。
【請求項１２】
前記第２のノードの下の前記セルが前記ＳＳＢを備えているという条件において、前記ダウンリンクＮＲ−ＡＲＦＣＮまたは前記ＮＲ−ＡＲＦＣＮは、前記ＳＳＢの中心周波数点またはグローバル同期チャネル番号（ＧＳＣＮ）を備え；または、前記アップリンクＮＲ−ＡＲＦＣＮ、前記ダウンリンクＮＲ−ＡＲＦＣＮ、または前記ＮＲ−ＡＲＦＣＮは、前記セルが属する広帯域キャリアの基準点Ａの絶対周波数位置を備え、
前記第２のノードの下の前記セルが前記ＳＳＢを備えていないという条件において、前記アップリンクＮＲ−ＡＲＦＣＮ、前記ダウンリンクＮＲ−ＡＲＦＣＮ、または前記ＮＲ−ＡＲＦＣＮは、前記セルが属する前記広帯域キャリアの前記基準点Ａの前記絶対周波数位置を備えている、請求項１１に記載の情報を入手する方法。
【請求項１３】
前記セル群識別子は、前記セル群の中のセルが属する広帯域キャリアの周波数点、前記セル群の中の前記セルが属する広帯域キャリアの基準点Ａの絶対周波数位置、または負ではない整数を備えている、請求項３−５のいずれか１項に記載の情報を入手する方法。
【請求項１４】
前記広帯域キャリア識別子は、前記広帯域キャリアの周波数点、前記広帯域キャリアの基準点Ａの絶対周波数位置、または負ではない整数を備えている、請求項６−９のいずれか１項に記載の情報を入手する方法。
【請求項１５】
前記セル役割指示は、
前記第２のノードの下の前記セルが独立型セルとしての役割を果たすかどうかの指示、前記第２のノードの下の前記セルが非独立型セルのみとしての役割を果たすかどうかの指示、前記第２のノードの下の前記セルが一次セルとしての役割を果たすかどうかの指示、前記第２のノードの下の前記セルが一次二次セルとしての役割を果たすかどうかの指示、または前記第２のノードの下の前記セルが二次セルのみとしての役割を果たすかどうかの指示のうちの少なくとも１つを備えている、請求項２−９のいずれか１項に記載の情報を入手する方法。
【請求項１６】
情報を入手する方法であって、前記方法は、
第１のノードによって、第２のノードによって伝送された第１のメッセージを受信することであって、前記第１のメッセージは、セル識別子と、物理的セル識別子（ＰＣＩ）または周波数点情報のうちの少なくとも１つとを搬送する、ことと、
前記第１のノードによって、前記第１のメッセージから前記第２のノードの下のセルについての情報を入手することと、
前記第１のノードによって、前記第２のノードの下の前記セルについての前記情報が採用条件を満たさないことを決定することに応答して、前記第１のノードによって、第２のメッセージを前記第２のノードに伝送することと
を含み、
前記第２のメッセージは、前記採用条件を満たさない理由、または推奨セルリストのうちの少なくとも１つを搬送する、方法。
【請求項１７】
前記第１のノードによって、前記第２のノードの下の前記セルについての前記情報が前記採用条件を満たすかどうかを決定することをさらに含み、
前記第１のノードによって、前記第２のノードの下の前記セルについての前記情報が前記採用条件を満たすかどうかを決定することは、
前記第１のノードによって、前記ＰＣＩおよび前記周波数点情報に従って、前記第２のノードの下の前記セルのアップリンク初期帯域幅部分（ＢＷＰ）およびダウンリンク初期ＢＷＰを入手することと、
前記第１のノードによって、前記アップリンク初期ＢＷＰおよび前記ダウンリンク初期ＢＷＰに従って、前記第２のノードの下の前記セルが負荷条件を満たすかどうかを決定することと
を含む、請求項１６に記載の情報を入手する方法。
【請求項１８】
前記採用条件を満たさない前記理由は、
アップリンク初期ＢＷＰ負荷の理由、ダウンリンク初期ＢＷＰ負荷の理由、または前記アップリンク初期ＢＷＰ負荷および前記ダウンリンク初期ＢＷＰ負荷の理由のうちの少なくとも１つを備えている、請求項１６に記載の情報を入手する方法。
【請求項１９】
前記推奨セルリストは、
前記採用条件を満たすセルのセル識別子、前記採用条件を満たす前記セルのＰＣＩ、または前記採用条件を満たす前記セルの周波数点情報のうちの少なくとも１つを備えている、請求項１５に記載の情報を入手する方法。
【請求項２０】
プロセッサと、前記プロセッサに結合されたメモリとを備えている、情報を入手するための装置であって、前記メモリは、情報を入手するためのプログラムを記憶し、前記プログラムは、前記プロセッサ上で実行され、前記プロセッサによって実行されると、情報を入手するための前記プログラムは、請求項１−１９のいずれか１項に記載の情報を入手する方法を実装する、装置。
【請求項２１】
情報を入手するためのプログラムを記憶するように構成されたコンピュータ記憶媒体であって、プロセッサによって実行されると、前記プログラムは、請求項１−１９のいずれか１項に記載の識別情報を入手する方法を実装する、コンピュータ記憶媒体。
【発明の詳細な説明】
【技術分野】
【０００１】
本願は、その開示が参照することによってその全体として本明細書に組み込まれる２０１８年５月９日に出願された中国特許出願第２０１８１０４３８２１６．４号の優先権を主張する。
（技術分野）
【０００２】
本願は、通信の分野、例えば、情報を入手する方法、デバイス、および装置、ならびにコンピュータ記憶媒体に関する。
【背景技術】
【０００３】
通信技術の継続的開発により、第５世代（５Ｇ）移動通信技術が出現した。５Ｇシステムにおいて、新しいキャリアタイプが、無線アクセスネットワーク（ＲＡＮ）のスループット率および無線リソースの利用を改良するために導入されている。しかしながら、通信ノードが新しいキャリアタイプに関するセル情報を入手する方法は、解決されていない。
【発明の概要】
【課題を解決するための手段】
【０００４】
本願の主要な目的は、情報を入手する方法、デバイス、および装置、ならびにコンピュータ記憶媒体を提供することである。
【０００５】
本開示の一実施形態において、情報を入手する方法が、提供され、方法は、下で説明されるステップを含む。第１のノードが、第２のノードによって伝送された第１のメッセージを受信し、第１のメッセージは、第２のノードのセル群に関連し、各セル群の中の各セルは、同一の広帯域キャリアに属する。第１のノードは、第１のメッセージから第２のノードの下のセルについての情報を入手する。
【０００６】
本開示の一実施形態において、情報を入手する方法が、提供され、方法は、下で説明されるステップを含む。第１のノードが、第２のノードによって伝送された第１のメッセージを受信し、第１のメッセージは、第２のノードの下の１つ以上のセルについての情報を搬送し、セルのうちの各セルについての情報は、セル識別子と、セルが属する広帯域キャリアの広帯域キャリア識別子とを含み；または、各セルについての情報は、セル識別子と、セルが広帯域キャリアに属するかどうかの情報とを含み、各セルについての情報は、物理的セル識別子（ＰＣＩ）、周波数点情報、帯域幅、セルが同期信号および物理的ブロードキャストチャネルブロック（ＳＳＢ）を含むかどうかの情報、ＳＳＢが残留最小システム情報（ＲＭＳＩ）に関連付けられているかどうかの指示、ＳＳＢが同期信号ラスタ上にあるかどうかの情報、またはセル役割指示のうちの少なくとも１つをさらに含む。
【０００７】
本開示の一実施形態において、情報を入手する方法が、提供され、方法は、下で説明されるステップを含む。第１のノードが、第２のノードによって伝送される第２のメッセージを受信し、第２のメッセージは、セル識別子、およびＰＣＩまたは周波数点情報のうちの少なくとも１つを搬送する。第１のノードは、第２のメッセージから第２のノードの下のセルについての情報を入手する。第１のノードが、第２のノードの下のセルについての情報が採用条件を満たさないことを決定するとき、第１のノードは、第３のメッセージを第２のノードに伝送し、第３のメッセージは、採用条件を満たさない理由または推奨セルリストのうちの少なくとも１つを搬送する。
【０００８】
本開示の一実施形態において、情報を入手するための装置が、提供され、装置は、プロセッサと、プロセッサに結合されたメモリとを含む。メモリは、情報を入手するためのプログラムを記憶し、プログラムは、プロセッサ上で実行され、プロセッサによって実行されると、情報を入手するためのプログラムは、情報を入手するための上で述べられる方法のステップを実装する。
【０００９】
本開示の一実施形態において、情報を入手するためのプログラムを記憶するように構成されたコンピュータ記憶媒体が、提供され、プロセッサによって実行されると、プログラムは、識別情報を入手するための上で述べられる方法のステップを実装する。
【００１０】
本開示の実施形態において、第１のノードは、第２のノードのセル群に関連し、第２のノードによって伝送された第１のメッセージを受信し、各セル群は、１つ以上のセルを含み、各セルは、同一の広帯域キャリアに属する。第１のノードは、第１のメッセージから第２のノードの下のセルについての情報、すなわち、各セル群の中のセルについての情報を入手する。上で述べられるソリューションを通して、第１のノードは、無線アクセスネットワーク（ＲＡＮ）のスループット率および無線リソースの利用の改良が、広帯域キャリアが導入された後、確実にされ得るように、第２のノードの下で広帯域キャリアに関して標的化するセルについての情報を入手し得る。
【図面の簡単な説明】
【００１１】
本開示の実施形態におけるソリューションをより明確に図示するために、実施形態または関連技術分野の説明で使用される図面が、下で簡潔に説明されるであろう。明白なこととして、下で説明される図面は、本開示の実施形態の一部にすぎず、当業者は、創造的作業が行われないという前提で、下で説明される図面に基づく他の図面を入手し得る。
【００１２】
【図１】図１は、本開示のある実施形態による、広帯域キャリアを示す概略図である。
【００１３】
【図２】図２は、本開示の実施形態１による、情報を入手する方法のフローチャートである。
【００１４】
【図３】図３は、本開示の実施形態２による、情報を入手する方法のフローチャートである。
【００１５】
【図４】図４は、本開示の実施形態３による、情報を入手する方法のフローチャートである。
【００１６】
【図５】図５は、本開示の実施形態４による、情報を入手する方法のフローチャートである。
【００１７】
【図６】図６は、本開示の実施形態５による、情報を入手する方法のフローチャートである。
【００１８】
【図７】図７は、本開示の実施形態６による、情報を入手する方法のフローチャートである。
【００１９】
【図８】図８は、本開示の実施形態７による、情報を入手する方法のフローチャートである。
【００２０】
【図９】図９は、本開示の実施形態８による、情報を入手するためデバイスの構造ブロック図である。
【００２１】
【図１０】図１０は、本開示の実施形態１１による、情報を入手する方法のフローチャートである。
【００２２】
【図１１】図１１は、本開示の実施形態１２による、情報を入手するためデバイスの構造ブロック図である。
【００２３】
【図１２】図１２は、本開示の実施形態１５による、情報を入手する方法のフローチャートである。
【００２４】
【図１３】図１３は、本開示の実施形態１６による、情報を入手する方法のフローチャートである。
【００２５】
【図１４】図１４は、本開示の実施形態１７による、情報を入手する方法のフローチャートである。
【００２６】
【図１５】図１５は、本開示の実施形態１８による、情報を入手する方法のフローチャートである。
【００２７】
【図１６】図１６は、本開示の実施形態１９による、情報を入手する方法のフローチャートである。
【００２８】
【図１７】図１７は、本開示の実施形態２０による、情報を入手する方法のフローチャートである。
【００２９】
【図１８】図１８は、本開示の実施形態２１による、情報を入手する方法のフローチャートである。
【００３０】
【図１９】図１９は、本開示の実施形態２２による、情報を入手するためデバイスの構造ブロック図である。
【発明を実施するための形態】
【００３１】
本開示の実施形態におけるソリューションが、本開示の実施形態における図面と併せて、明確かつ完全に説明されるであろう。明白なこととして、下で説明される実施形態は、本願の実施形態の全てではなく、一部である。本願の実施形態に基づいて、当業者によって取得される全ての他の実施形態は、創造的作業が行われないという前提で、本願の範囲内に該当する。
【００３２】
５Ｇシステムにおいて、多くの異なるタイプのインターフェースおよびセルが存在し、インターフェースおよびセルのうちのいくつかが、下で説明される。
【００３３】
Ｕｕインターフェース：無線アクセスネットワーク（ＲＡＮ）は、基地局と、ユーザ機器（ＵＥ）とを含み、基地局とＵＥとの間のインターフェースは、Ｕｕインターフェースである。
【００３４】
Ｘｎインターフェース：５Ｇシステムにおいて、５Ｇ基地局は、新世代無線アクセスネットワークノード（ｇＮＢ）と呼ばれ、ｇＮＢ間のインターフェースは、Ｘｎインターフェースと呼ばれる。
【００３５】
ＮＧインターフェース：ｇＮＢとコアネットワーク（ＣＮ）との間のインターフェースは、ＮＧインターフェースと呼ばれる。
【００３６】
Ｆ１インターフェース：５Ｇ基地局は、２つの部分に分割され得、それらは、中央ユニット（ＣＵ）と分散型ユニット（ＤＵ）とである。１つの基地局は、１つのＣＵを有し、１つの基地局は、複数のＤＵを有し得、それは、ＣＵ  ＤＵ分割と呼ばれる。ＣＵとＤＵとの間のインターフェースは、Ｆ１インターフェースと呼ばれる。
【００３７】
キャリアアグリゲーション（ＣＡ）機能下の一次セル（Ｐセル）および二次セル（Ｓセル）：５Ｇシステムにおいて、ＣＡ機能が、サポートされる。キャリアアグリゲーションは、より大きい伝送帯域幅をサポートするための２つ以上のコンポーネントキャリア（ＣＣ）のアグリゲーションである。ＵＥは、ＣＡ下の複数のＣＣ上でデータを同時に受信および伝送することができる。ＵＥによって最初にアクセスされるＣＣは、一次コンポーネントキャリア（ＰＣＣ）であり、他のＣＣは、二次コンポーネントキャリア（ＳＣＣ）と呼ばれる。ＰＣＣに対応するサービングセルは、一次セルと呼ばれ、ＳＣＣに対応するサービングセルは、二次セルと呼ばれる。
【００３８】
二重コネクティビティ（ＤＣ）および多重コネクティビティ（ＭＣ）機能下の一次セル、一次二次セル、および二次セル：５Ｇシステムにおいて、ＤＣおよびＭＣ機能が、サポートされる。ＵＥは、二重コネクティビティまたは複数のコネクティビティ下で同時に２つ以上の基地局との接続を維持することができ、基地局のうちの１つは、マスタノード（ＭＮ）と呼ばれ、他の基地局は、二次ノード（ＳＮ）と呼ばれる。ＭＮ上の一次セルは、一次セルと呼ばれ、ＳＮ上の一次セルは、一次二次セルと呼ばれ、ＭＮおよびＳＮ上の二次セルは、両方とも二次セルと呼ばれる。
【００３９】
独立型セル（ＳＡセル）および非独立型セル（ＮＳＡセル）：５Ｇシステムにおいて、ＳＡセルは、アイドル状態のＵＥによってアクセスされ得るセルを指し、非独立型セルは、アイドル状態のＵＥによってアクセスされることができないが、接続状態のＵＥに構成され得るセルを指す。
【００４０】
同時に、広帯域キャリア等のいくつかの新しいキャリアも、５Ｇシステムの中に導入されている。図１は、１つの広帯域キャリアを示し、１つの広帯域キャリアは、複数の同期信号および物理的ブロードキャストチャネルブロック（ＳＳＢ）を有し得、各ＳＳＢは、１つの残留最小システム情報（ＲＭＳＩ）に関連付けられ得る。
【００４１】
広帯域キャリアが導入された後、ＲＡＮのスループット率および無線リソースの利用が、さらに改良されることができる。しかしながら、通信ノード（例えば、２つの基地局）間で、広帯域キャリアのためのセルについての情報を入手することの問題は、解決されていない。広帯域キャリアのためのセルについての情報が、通信ノードを使用することによって入手されることができる場合、ＲＡＮのスループット率および無線リソースの利用率の改良が、確実にされることができる。
（実施形態１）
【００４２】
本開示の実施形態１は、情報を入手する方法を提供し、方法は、第１のノードに適用されることができる。図２に示されるように、方法は、下で説明されるステップを含む。
【００４３】
ステップＳ１０１において、第１のノードが、第２のノードによって伝送された第１のメッセージを受信し、第１のメッセージは、第２のノードのセル群に関連し、各セル群の中のセルの各々は、同一の広帯域キャリアに属する。
【００４４】
ステップＳ１０２において、第１のノードは、第１のメッセージから第２のノードの下のセルについての情報を入手する。
【００４５】
第１のノードは、第２のノードのセル群に関連する第１のメッセージを受信し、第１のメッセージは、上で述べられるステップを通して第２のノードによって伝送され、各セルは、同一の広帯域キャリアに属する。続いて、第１のノードは、第１のメッセージから第２のノードの下のセルについての情報を入手する。上で述べられるソリューションを通して、第１のノードは、ＲＡＮのスループット率および無線リソースの利用の改良が、広帯域キャリアが導入された後、確実にされ得るように、第２のノードの下の広帯域キャリアのためのセルについての情報を入手することができる。
【００４６】
ステップＳ１０１において、第１のノードは、第２のノードによって伝送された第１のメッセージを受信する。第１のノードは、基地局であり得、基地局は、進化型ノード基地局（ｅＮＢ）であり得るか、または、基地局は、ｇＮＢでもあり得るか、または、第１のノードは、ＣＵまたはＤＵでもあり得る。第２のノードは、基地局であり得、基地局は、ｇＮＢであり得るか、または、第２のノードは、ＣＵまたはＤＵであり得る。
【００４７】
第１のメッセージは、ＥＮ−ＤＣ  Ｘ２インターフェースのＥＮ−ＤＣ  Ｘ２設定要求、ＥＮ−ＤＣ  Ｘ２設定応答、ＥＮ−ＤＣ構成更新、またはＥＮ−ＤＣ構成更新確認応答であり得る。第１のメッセージは、ＸｎインターフェースのＸＮ設定要求、ＸＮ設定応答、ＮＧ−ＲＡＮノード構成更新、またはＮＧ−ＲＡＮノード構成更新確認応答でもあり得る。さらに、第１のメッセージは、Ｆ１インターフェースのＦ１設定要求、Ｆ１設定応答、ＧＮＢ−ＣＵ構成更新、ＧＮＢ−ＣＵ構成更新確認応答、ＧＮＢ−ＤＵ構成更新、またはＧＮＢ−ＤＵ構成更新確認応答であり得る。第１のメッセージは、他のメッセージであり得、例えば、新しいメッセージであり得る。
【００４８】
実施形態１のある場合、第１のノードは、ｅＮＢであり得、第２のノードは、ｇＮＢであり得、第１のノードと第２のノードとの間のインターフェースは、ＥＮ−ＤＣ  Ｘ２インターフェースであり得、第１のメッセージは、ＥＮ−ＤＣ  Ｘ２設定要求であり得る。実施形態１の別の場合、第１のノードは、ＣＵであり得、第２のノードは、ＤＵであり得、第１のノードと第２のノードとの間のインターフェースは、Ｆ１インターフェースであり得、第１のメッセージは、ＧＮＢ−ＣＵ構成更新であり得る。
【００４９】
ステップＳ１０１において、第１のメッセージは、第２のノードのセル群に関連し、セル群は、１以上であり得、各セル群は、１つ以上のセルを含み得、各セル群の中のセルは、同一の広帯域キャリアに属する。
【００５０】
実施形態１のある場合、第１のメッセージは、第２のノードの下の１つ以上のセルについての情報を搬送し、各セルについての情報は、セル識別子と、１つ以上の物理的セルについての情報とを含む。各物理的セルについての情報は、物理的セル識別子（ＰＣＩ）、周波数点情報、帯域幅、物理的セルが同期信号および物理的ブロードキャストチャネルブロック（ＳＳＢ）を含むかどうかの情報、ＳＳＢが残留最小システム情報（ＲＭＳＩ）に関連付けられているかどうかの指示、ＳＳＢが同期信号ラスタ上にあるかどうかの情報、または、セル役割指示のうちの少なくとも１つを含む。
【００５１】
ＳＳＢが同期信号ラスタ上にあるかどうかの情報は、ＳＳＢが同期（オン−同期）信号ラスタ上にあること、またはＳＳＢが同期信号ラスタ外（オフ同期）にあることを含み得る。物理的セルがＳＳＢを含むかどうかの情報は、例えば、ＳＳブロックベースのＲＲＭ測定タイミング構成（ＳＭＴＣ）が含まれるかどうかによって、表され得、ＳＭＴＣが含まれる場合、ＳＳＢが含まれ、ＳＭＴＣが含まれない場合、ＳＳＢは、含まれない。ＳＳＢが同期信号ラスタ上にあるかどうかの上で述べられる情報および物理的セルがＳＳＢを含むかどうかの情報は、実施形態１における他の場合に適用され得る。
【００５２】
実施形態１のある場合、第１のメッセージは、第２のノードの下の１つ以上のセルについての情報を搬送し、セルのうちの各セルについての情報は、セル識別子と、１つ以上の物理的セルについての情報と、セルがセル群に属するかどうかの指示とを含む。各物理的セルについての情報は、ＰＣＩ、周波数点情報、帯域幅、物理的セルがＳＳＢを含むかどうかの情報、ＳＳＢがＲＭＳＩに関連付けられているかどうかの指示、ＳＳＢが同期信号ラスタ上にあるかどうかの情報、またはセル役割指示のうちの少なくとも１つを含む。
【００５３】
実施形態１のある場合、第１のメッセージは、第２のノードの下の１つ以上のセルについての情報を搬送し、各セルについての情報は、セル識別子と、ＰＣＩ、周波数点情報、帯域幅、セルがＳＳＢを含むかどうかの情報、ＳＳＢがＲＭＳＩに関連付けられているかどうかの指示、ＳＳＢが同期信号ラスタ上にあるかどうかの情報、セルが属するセル群のセル群識別子、セルがセル群に属するかどうかの指示、またはセル役割指示のうちの少なくとも１つとを含む。
【００５４】
実施形態１のある場合、第１のメッセージは、第２のノードの下の１つ以上のセルについての情報を搬送し、各セルについての情報は、セル識別子と、セルが属するセル群のセル群識別子と、ＰＣＩ、周波数点情報、帯域幅、セルがＳＳＢを含むかどうかの情報、ＳＳＢがＲＭＳＩに関連付けられているかどうかの指示、ＳＳＢが同期信号ラスタ上にあるかどうかの情報、またはセル役割指示のうちの少なくとも１つとを含む。
【００５５】
実施形態１のある場合、第１のメッセージは、第２のノードの下の１つ以上のセルについての情報を搬送し、各セルについての情報は、セル識別子と、セルがセル群に属するかどうかの指示と、ＰＣＩ、周波数点情報、帯域幅、セルがＳＳＢを含むかどうかの情報、ＳＳＢがＲＭＳＩに関連付けられているかどうかの指示、ＳＳＢが同期信号ラスタ上にあるかどうかの情報、またはセル役割指示のうちの少なくとも１つとを含む。
【００５６】
実施形態１のある場合、第１のメッセージは、第２のノードの下の１つ以上のセルについての情報を搬送し、各セルは、ＳＳＢを含み、ＳＳＢは、ＲＭＳＩに関連付けられている。各セルについての情報は、セル識別子と、セルが属するセル群のセル群識別子と、ＰＣＩ、周波数点情報、帯域幅、ＳＳＢが同期信号ラスタ上にあるかどうかの情報、またはセル役割指示のうちの少なくとも１つとを含む。
【００５７】
実施形態１のある場合、第１のメッセージは、第２のノードの下の１つ以上のセルについての情報を搬送し、各セルは、ＳＳＢを含み、ＳＳＢは、ＲＭＳＩに関連付けられていない。各セルについての情報は、セルが属するセル群のセル群識別子と、ＰＣＩ、周波数点情報、帯域幅、ＳＳＢが同期信号ラスタ上にあるかどうかの情報、またはセル役割指示のうちの少なくとも１つとを含む。
【００５８】
実施形態１のある場合、第１のメッセージは、第２のノードの下の１つ以上のセルについての情報を搬送し、各セルは、ＳＳＢを含まない。各セルについての情報は、セルが属するセル群のセル群識別子と、ＰＣＩ、周波数点情報、帯域幅、またはセル役割指示のうちの少なくとも１つとを含む。
【００５９】
実施形態１のある場合、第１のメッセージは、１つ以上のセル群についての情報を搬送し、各セル群は、第２のノードの下の１つ以上のセルについての情報と、セル群のセル群識別子とを含む。各セルは、ＳＳＢを含み、ＳＳＢは、ＲＭＳＩに関連付けられている。各セルについての情報は、セル識別子と、ＰＣＩ、周波数点情報、帯域幅、ＳＳＢが同期信号ラスタ上にあるかどうかの情報、またはセル役割指示のうちの少なくとも１つとを含む。
【００６０】
実施形態１のある場合、第１のメッセージは、１つ以上のセル群についての情報を搬送し、各セル群についての情報は、第２のセルの下の１つ以上のセルについての情報と、セル群のセル群識別子とを含む。各セルは、ＳＳＢを含み、ＳＳＢは、ＲＭＳＩに関連付けられていない。各セルについての情報は、ＰＣＩ、周波数点情報、帯域幅、ＳＳＢが同期信号ラスタ上にあるかどうかの情報、またはセル役割指示のうちの少なくとも１つを含む。
【００６１】
実施形態１のある場合、第１のメッセージは、１つ以上のセル群についての情報を搬送し、各セル群についての情報は、第２のセルの下の１つ以上のセルについての情報と、セル群のセル群識別子とを含む。各セルは、ＳＳＢを含まない。各セルについての情報は、ＰＣＩ、周波数点情報、帯域幅、またはセル役割指示のうちの少なくとも１つを含む。
【００６２】
実施形態１のある場合、異なる組み合わせが、上で説明される実施形態１の場合に作成され得、すなわち、第１のメッセージは、セルについての情報を搬送し得るか、または、セル群についての情報も同時に搬送するか、または、当然ながら、セルについての情報またはセル群についての情報のみを搬送し得る。各セルについての情報は、同一であるか、または、異なり得、または、セルについての情報の一部は、同一であり得、セルについての情報の一部は、異なり得る（上で説明される実施形態１の場合のセルについての情報は、異なるように組み合わせられ得る）。各セル群についての情報は、同一であるか、または、異なり得、または、セル群についての情報の一部は、同一であり得、セル群についての情報の一部は、異なり得る（上で説明される実施形態１の場合のセル群についての情報は、異なるように組み合わせられ得る）。
【００６３】
実施形態１のある場合、第１のメッセージは、第２のノードの下の１３個のセルについての情報、および２つのセル群についての情報を搬送する。１３個のセルについての情報において、５つのセルについての情報は、セル識別子と、１つ以上の物理的セルについての情報とを含み、６つのセルについての情報は、セル識別子と、１つ以上の物理的セルについての情報と、セルがセル群に属するかどうかの指示とを含み、２つのセルについての情報は、セル識別子と、セルが属するセル群のセル群識別子と、ＰＣＩと、周波数点情報と、帯域幅とを含む。２つのセル群についての情報において、１つのセル群についての情報は、第２のノードの下の７つのセルについての情報と、セル群のセル群識別子とを含む。７つの群の各々は、ＳＳＢを含み、ＳＳＢは、ＲＭＳＩに関連付けられていない。７つのセルの各々についての情報は、ＰＣＩと、周波数点情報と、帯域幅とを含む。別の１つのセル群についての情報は、第２のノードの下の５つのセルについての情報と、セル群のセル群識別子とを含み、５つのセルは、ＳＳＢを含まない。５つのセルの各々についての情報は、ＰＣＩと、周波数点情報と、帯域幅と、セル役割指示とを含む。
【００６４】
実施形態１のある場合、上で述べられるセル識別子は、ＮＲセルグローバル識別子（ＮＣＧＩ）を含み、ＮＲは、新規無線アクセスを指す。
【００６５】
実施形態１のある場合、第２のノードの下のセルが、周波数分割二重（ＦＤＤ）サービングセルであるとき、周波数点情報は、アップリンク新規無線アクセス絶対無線周波数チャネル番号（ＮＲ−ＡＲＦＣＮ）と、ダウンリンクＮＲ−ＡＲＦＣＮとを含む。第２のノードの下のセルが、ＦＤＤ隣接セルであるとき、周波数点情報は、ダウンリンクＮＲ−ＡＲＦＣＮを含む。第２のノードの下のセルが、時分割二重（ＴＤＤ）サービングセルまたはＴＤＤ隣接セルであるとき、周波数点情報は、ＮＲ−ＡＲＦＣＮを含む。ＴＤＤシステム内のＮＲ−ＡＲＦＣＮのアップリンクとダウンリンクとの間で区別が行われないので、周波数点情報は、ＮＲ−ＡＲＦＣＮを含むことに留意されたい。したがって、上で述べられるアップリンクＮＲ−ＡＲＦＣＮ、ダウンリンクＮＲ−ＡＲＦＣＮ、およびＮＲ−ＡＲＦＣＮは、３つの異なる概念である。
【００６６】
実施形態１のある場合、第２のノードの下のセルが、ＳＳＢを含むとき、ダウンリンクＮＲ−ＡＲＦＣＮは、ＳＳＢの中心周波数点またはグローバル同期チャネル番号（ＧＳＣＮ）を含むか、または、アップリンクＮＲ−ＡＲＦＣＮまたはダウンリンクＮＲ−ＡＲＦＣＮは、セルが属する広帯域キャリアの基準点Ａの絶対周波数位置を含む。第２のノードの下のセルが、ＳＳＢを含まないとき、アップリンクＮＲ−ＡＲＦＣＮまたはダウンリンクＮＲ−ＡＲＦＣＮは、セルが属する広帯域キャリアの基準点Ａの絶対周波数位置を含む。
【００６７】
実施形態１のある場合、第２のノードの下のセルが、ＳＳＢを含むとき、ＮＲ−ＡＲＦＣＮは、ＳＳＢの中心周波数点またはＧＳＣＮを含むか、または、ＮＲ−ＡＲＦＣＮは、セルが属する広帯域キャリアの基準点Ａの絶対周波数位置を含む。第２のノードの下のセルが、ＳＳＢを含まないとき、ＮＲ−ＡＲＦＣＮは、セルが属する広帯域キャリアの基準点Ａの絶対周波数位置を含む。
【００６８】
実施形態１のある場合、セル群識別子は、セル群の中のセルが属する広帯域キャリアの周波数点、セル群の中のセルが属する広帯域キャリアの基準点Ａの絶対周波数位置、または負ではない整数を含む。
【００６９】
実施形態１のある場合、セル役割指示は、第２のノードの下のセルがＳＡセルとしての役割を果たすかどうかの指示、第２のノードの下のセルがＮＳＡセルのみとしての役割を果たすかどうかの指示、第２のノードの下のセルがＰセルとしての役割を果たすかどうかの指示、第２のノードの下のセルがＰｓセルとしての役割を果たすかどうかの指示、または第２のノードの下のセルがＳセルのみとしての役割を果たすかどうかの指示のうちの少なくとも１つを含む。
【００７０】
ステップＳ１０２において、第１のノードは、第１のメッセージから第２のノードの下のセルについての情報を入手する。第１のノードによって入手されるセルについての情報は、第１のメッセージによって搬送されるセルについての情報に従って決定され、第１のメッセージによって搬送されるセルについての異なる情報は、第１のノードによって入手されるセルについての異なる情報につながるであろう。第１のメッセージが、１つのセルについての情報を搬送する場合、第１のノードは、１つのセルについての情報を入手することができ、第１のメッセージが、複数のセルについての情報を搬送する場合、第１のノードは、対応する複数のセルについての情報を入手し得る。
【００７１】
実施形態１のある場合、第１のメッセージは、第２のノードの下の１つ以上のセルについての情報を搬送し、各セルについての情報は、セル識別子と、セルがセル群に属するかどうかの指示と、ＰＣＩと、周波数点情報と、セルがＳＳＢを含むかどうかの情報と、ＳＳＢがＲＭＳＩに関連付けられているかどうかの指示と、ＳＳＢが同期信号ラスタ上にあるかどうかの情報とを含む。この時点で、第１のノードによって入手されるセルについての情報は、セル識別子と、セルがセル群に属するかどうかの指示と、ＰＣＩと、周波数点情報と、セルがＳＳＢを含むかどうかの情報と、ＳＳＢがＲＭＳＩに関連付けられているかどうかの指示と、ＳＳＢが同期信号ラスタ上にあるかどうかの情報とを含む。
【００７２】
ステップＳ１０１後、第１のノードは、セルについての情報に従って、セルのタイプを決定し得る。
【００７３】
実施形態１のある場合、第１のノードによって入手されるセルについての情報は、セル識別子と、セルがセル群に属するかどうかの指示と、ＰＣＩと、周波数点情報と、セルがＳＳＢを含むかどうかの情報と、ＳＳＢがＲＭＳＩに関連付けられているかどうかの指示と、ＳＳＢが同期信号ラスタ上にあるかどうかの情報とを含む。セルがセル群に属するかどうかの指示は、セルがセル群に属することであり、セルがＳＳＢを含むかどうかの情報は、セルがＳＳＢを含むことであり、ＳＳＢがＲＭＳＩに関連付けられているかどうかの指示は、ＳＳＢがＲＭＳＩに関連付けられていることであり、ＳＳＢが同期信号ラスタ上にあるかどうかの情報は、ＳＳＢが同期信号ラスタ上にあることである。この時点で、第１のノードは、セルがＳＡセルとしての役割を果たし得ることを決定することができる。
（実施形態２）
【００７４】
本開示の実施形態２は、情報を入手する方法を提供し、方法は、ｇＮＢに適用されることができる。図３に示されるように、方法は、下で説明されるステップを含む。
【００７５】
ステップ２０１において、ｇＮＢ１が、ｇＮＢ２によって伝送される第１のメッセージを受信する。
【００７６】
第１のメッセージは、ＸｎインターフェースのＸＮ設定要求、ＸＮ設定応答、ＮＧ−ＲＡＮノード構成更新、またはＮＧ−ＲＡＮノード構成更新確認応答であり得る。
【００７７】
第１のメッセージは、ｇＮＢ２のセル群に関連し、セル群は、１つ以上であり得、各セル群は、１つ以上のセルを含み得、各セル群の中のセルは、同一の広帯域キャリアに属する。
【００７８】
第１のメッセージは、ｇＮＢ２の下の１つ以上のセルについての情報を搬送し、各セルについての情報は、ＮＣＧＩと、１つ以上の物理的セルについての情報とを含む。各物理的セルについての情報は、ＰＣＩと、周波数点情報と、帯域幅と、物理的セルがＳＳＢを含むかどうかの情報（例えば、ＳＭＴＣが含まれるかどうかによって表され得、ＳＭＴＣが含まれる場合、ＳＳＢが、含まれ、ＳＭＴＣが含まれない場合、ＳＳＢは、含まれない）と、ＳＳＢがＲＭＳＩに関連付けられているかどうかの指示と、ＳＳＢが同期信号ラスタ上にあるかどうかの情報とを含む。
【００７９】
ステップＳ２０２において、ｇＮＢ１は、第１のメッセージからｇＮＢ２の下のセルについての情報を入手する。
【００８０】
ｇＮＢ１によって入手されるセルについての情報は、ＮＣＧＩ、および１つ以上の物理的セルについての情報である。各物理的セルについての情報は、ＰＣＩと、周波数点情報と、帯域幅と、物理的セルがＳＳＢを含むかどうかの情報と、ＳＳＢがＲＭＳＩに関連付けられているかどうかの指示と、ＳＳＢが同期信号ラスタ上にあるかどうかの情報とを含む。
【００８１】
ステップＳ２０２後、ｇＮＢ１は、セルについての入手された情報に従って、セルに従属する物理的セルのタイプを決定する。
【００８２】
実施形態２のある場合、ｇＮＢ１は、セルについての情報を入手し、セルについての情報は、ＮＣＧＩと、複数の物理的セルについての情報とを含む。この時点で、ある場合は、セルが広帯域キャリアに属し、複数の物理的セルを含むことを示す。各物理的セルについての情報は、ＰＣＩと、周波数点情報と、帯域幅と、物理的セルがＳＳＢを含むかどうかの情報と、ＳＳＢがＲＭＳＩに関連付けられているかどうかの指示と、ＳＳＢが同期信号ラスタ上にあるかどうかの情報とを含む。セルの下の端末が、アイドル状態であるとき、複数の物理的セルのうちの１つについての情報が、物理的セルがＳＳＢを含み、ＳＳＢがＲＭＳＩに関連付けられており、ＳＳＢが同期信号ラスタ上にあることを含む場合、物理的セルは、ＳＡセルとしての役割を果たすことができ、そうでなければ、物理的セルは、ＮＳＡセルのみとしての役割を果たすことができる。セルの下の端末が、接続状態であるとき、複数の物理的セルのうちの１つについての情報が、物理的セルがＳＳＢを含み、ＳＳＢがＲＭＳＩに関連付けられており、ＳＳＢが同期信号ラスタ上にあることを含む場合、物理的セルは、Ｐセルとしての役割を果たすことができ；そうでなければ、物理的セルがＳＳＢを含む場合、物理的セルは、Ｐｓセルとしての役割を果たすことができ、物理的セルがＳＳＢを含まない場合、物理的セルは、Ｓセルのみとしての役割を果たすことができる。
【００８３】
実施形態２のある場合、ｇＮＢ１は、セルについての情報を入手し、セルについての情報は、ＮＣＧＩと、１つの物理的セルについての情報とを含む。この時点で、ある場合は、セルが共通キャリアに属し、１つの物理的セルを含むことを示す。セルが複数の物理的セルを含む場合、セルについての情報は、ＮＣＧＩおよび１つの物理的セルについての情報のみを含み得る（例えば、第１のメッセージ内で搬送されるセルについての情報は、ＮＣＧＩおよびセルに従属する複数の物理的セルの中の１つの物理的セルについての情報のみを含む）ことに留意されたい。この場合、セルは、広帯域キャリアに属する。セルについての情報が、１つの物理的セルについての情報を含むとき、セルが共通キャリアに属するか、広帯域キャリアに属するかを区別することができないことを回避するために、セルが複数の物理的セルを含むとき、第１のメッセージによって搬送されるセルについての情報が、複数の物理的セルについての情報を含まなければならず、１つの物理的セルについての情報のみを含み得ないことを規定する必要がある。規定の下で、セルについての情報が、１つの物理的セルについての情報を含むとき、セルが共通キャリアに属し、１つの物理的セルを含むことを示す。
（実施形態３）
【００８４】
本開示の実施形態３は、情報を入手する方法を提供し、方法は、ｅＮＢに適用されることができる。図４に示されるように、方法は、下で説明されるステップを含む。
【００８５】
ステップ３０１において、ｅＮＢ１が、ｇＮＢ３によって伝送される第１のメッセージを受信する。
【００８６】
第１のメッセージは、ＥＮ−ＤＣ  Ｘ２インターフェースのＥＮ−ＤＣ  Ｘ２設定要求、ＥＮ−ＤＣ  Ｘ２設定応答、ＥＮ−ＤＣ構成更新、またはＥＮ−ＤＣ構成更新確認応答であり得る。
【００８７】
第１のメッセージは、ｇＮＢ３のセル群に関連し、セル群は、１つ以上であり得、各セル群は、１つ以上のセルを含み得、各セル群の中のセルは、同一の広帯域キャリアに属する。
【００８８】
第１のメッセージは、ｇＮＢ３の下の１つ以上のセルについての情報を搬送し、各セルについての情報は、ＮＣＧＩと、１つ以上の物理的セルについての情報と、セルがセル群に属するかどうかの指示とを含む。各物理的セルについての情報は、ＰＣＩと、周波数点情報と、帯域幅と、物理的セルがＳＳＢを含むかどうかの情報（例えば、ＳＭＴＣが含まれるかどうかによって表され得、ＳＭＴＣが含まれる場合、ＳＳＢが、含まれ、ＳＭＴＣが含まれない場合、ＳＳＢは、含まれない）と、ＳＳＢがＲＭＳＩに関連付けられているかどうかの指示と、ＳＳＢが同期信号ラスタ上にあるかどうかの情報とを含む。
【００８９】
ステップＳ３０２において、ｇＮＢ１は、第１のメッセージからｇＮＢ３の下のセルについての情報を入手する。
【００９０】
ｅＮＢ１によって入手されるセルについての情報は、ＮＣＧＩ、１つ以上の物理的セルについての情報、およびセルがセル群に属するかどうかの指示である。各物理的セルについての情報は、ＰＣＩと、周波数点情報と、帯域幅と、物理的セルがＳＳＢを含むかどうかの情報と、ＳＳＢがＲＭＳＩに関連付けられているかどうかの指示と、ＳＳＢが同期信号ラスタ上にあるかどうかの情報とを含む。
【００９１】
ステップＳ３０２後、ｅＮＢ１は、セルについての入手された情報に従って、セルに従属する物理的セルのタイプを決定する。
【００９２】
実施形態３のある場合、ｅＮＢ１は、セルについての情報を入手し、セルについての情報は、ＮＣＧＩと、複数の物理的セルについての情報と、セルがセル群に属するという指示とを含む。この時点で、ある場合は、セルが広帯域キャリアに属し、複数の物理的セルを含むことを示す。各物理的セルについての情報は、ＰＣＩと、周波数点情報と、帯域幅と、物理的セルがＳＳＢを含むかどうかの情報と、ＳＳＢがＲＭＳＩに関連付けられているかどうかの指示と、ＳＳＢが同期信号ラスタ上にあるかどうかの情報とを含む。セルの下の端末が、アイドル状態であるとき、複数の物理的セルのうちの１つについての情報が、物理的セルがＳＳＢを含み、ＳＳＢがＲＭＳＩに関連付けられており、ＳＳＢが同期信号ラスタ上にあることを含む場合、物理的セルは、ＳＡセルとしての役割を果たすことができ、そうでなければ、物理的セルは、ＮＳＡセルのみとしての役割を果たすことができる。セルの下の端末が、接続状態であるとき、複数の物理的セルのうちの１つについての情報が、物理的セルがＳＳＢを含み、ＳＳＢがＲＭＳＩに関連付けられており、ＳＳＢが同期信号ラスタ上にあることを含む場合、物理的セルは、Ｐセルとしての役割を果たすことができ、そうでなければ、物理的セルがＳＳＢを含む場合、物理的セルは、Ｐｓセルとしての役割を果たすことができ、物理的セルがＳＳＢを含まない場合、物理的セルは、Ｓセルのみとしての役割を果たすことができる。
【００９３】
実施形態３のある場合、ｅＮＢ１は、セルについての情報を入手し、セルについての情報は、ＮＣＧＩと、１つの物理的セルについての情報と、セルがセル群に属しないという指示とを含む。この時点で、ある場合は、セルが共通キャリアに属し、１つの物理的セルを含むことを示す。
（実施形態４）
【００９４】
本開示の実施形態４は、情報を入手する方法を提供し、方法は、ＣＵに適用されることができる。図５に示されるように、方法は、下で説明されるステップを含む。
【００９５】
ステップ４０１において、ＣＵ１が、ＤＵ１によって伝送される第１のメッセージを受信する。
【００９６】
第１のメッセージは、Ｆ１インターフェースのＦ１設定要求、ＧＮＢ−ＤＵ構成更新、およびＧＮＢ−ＣＵ構成更新確認応答であり得る。
【００９７】
第１のメッセージは、ＤＵ１のセル群に関連し、セル群は、１つ以上であり得、各セル群は、１つ以上のセルを含み得、各セル群の中のセルは、同一の広帯域キャリアに属する。
【００９８】
第１のメッセージは、ＤＵ１の下の１つ以上のセルについての情報を搬送し、各セルについての情報は、ＮＣＧＩと、セルがセル群に属するかどうかの指示と、ＰＣＩと、周波数点情報と、帯域幅と、セルがＳＳＢを含むかどうかの情報（例えば、ＳＭＴＣが含まれるかどうかによって表され得、ＳＭＴＣが含まれる場合、ＳＳＢが、含まれ、ＳＭＴＣが含まれない場合、ＳＳＢは、含まれない）と、ＳＳＢがＲＭＳＩに関連付けられているかどうかの指示と、ＳＳＢが同期信号ラスタ上にあるかどうかの情報とを含む。
【００９９】
ステップＳ４０２において、ＣＵ１は、第１のメッセージからＤＵ１の下のセルについての情報を入手する。
【０１００】
ＣＵ１によって入手されるセルのうちのセルについての情報は、ＮＣＧＩと、セルがセル群に属するかどうかの指示と、ＰＣＩと、周波数点情報と、帯域幅と、セルがＳＳＢを含むかどうかの情報と、ＳＳＢがＲＭＳＩに関連付けられているかどうかの指示と、ＳＳＢが同期信号ラスタ上にあるかどうかの情報とを含む。
【０１０１】
ステップＳ４０２後、ＣＵ１は、セルについての入手された情報に従って、セルのタイプを決定する。
【０１０２】
実施形態４のある場合、ＣＵ１は、１つのセルについての情報を入手し、セルについての情報は、ＮＣＧＩと、セルがセル群に属するという指示とを含む。この時点で、それは、セルが広帯域キャリアに属することを示す。セルについての情報は、ＰＣＩと、周波数点情報と、帯域幅と、セルがＳＳＢを含むかどうかの情報と、ＳＳＢがＲＭＳＩに関連付けられているかどうかの指示と、ＳＳＢが同期信号ラスタ上にあるかどうかの情報とをさらに含む。セルの下の端末が、アイドル状態であるとき、セルについての情報が、セルがＳＳＢを含み、ＳＳＢがＲＭＳＩに関連付けられており、ＳＳＢが同期信号ラスタ上にあることを含む場合、セルは、ＳＡセルとしての役割を果たすことができ、そうでなければ、セルは、ＮＳＡセルのみとしての役割を果たすことができる。セルの下の端末が、接続状態であるとき、セルについての情報が、セルがＳＳＢを含み、ＳＳＢがＲＭＳＩに関連付けられており、ＳＳＢが同期信号ラスタ上にあることを含む場合、セルは、Ｐセルとしての役割を果たすことができ、そうでなければ、セルがＳＳＢを含む場合、セルは、Ｐｓセルとしての役割を果たすことができ、物理的セルがＳＳＢを含まない場合、セルは、Ｓセルのみとしての役割を果たすことができる。
（実施形態５）
【０１０３】
本開示の実施形態５は、情報を入手する方法を提供し、方法は、ｇＮＢに適用されることができる。図６に示されるように、方法は、下で説明されるステップを含む。
【０１０４】
ステップ５０１において、ｇＮＢ４が、ｇＮＢ５によって伝送される第１のメッセージを受信する。
【０１０５】
第１のメッセージは、ＸｎインターフェースのＸＮ設定要求、ＸＮ設定応答、ＮＧ−ＲＡＮノード構成更新、またはＮＧ−ＲＡＮノード構成更新確認応答であり得る。
【０１０６】
第１のメッセージは、ｇＮＢ５のセル群に関連し、セル群は、１つ以上であり得、各セル群は、１つ以上のセルを含み得、各セル群の中のセルは、同一の広帯域キャリアに属する。
【０１０７】
第１のメッセージは、ｇＮＢ５の下の１つ以上のセルについての情報を搬送し、各セルについての情報は、ＮＣＧＩと、セルが属するセル群のセル群識別子と、ＰＣＩと、周波数点情報と、帯域幅と、セルがＳＳＢを含むかどうかの情報（例えば、ＳＭＴＣが含まれるかどうかによって表され得、ＳＭＴＣが含まれる場合、ＳＳＢが、含まれ、ＳＭＴＣが含まれない場合、ＳＳＢは、含まれない）と、ＳＳＢがＲＭＳＩに関連付けられているかどうかの指示と、ＳＳＢが同期信号ラスタ上にあるかどうかの情報とを含む。
【０１０８】
ステップＳ５０２において、ｇＮＢ４は、第１のメッセージからｇＮＢ５の下のセルについての情報を入手する。
【０１０９】
ｇＮＢ４によって入手されるセルについての情報は、ＮＣＧＩ、セルが属するセル群のセル群識別子、ＰＣＩ、周波数点情報、帯域幅、セルがＳＳＢを含むかどうかの情報、ＳＳＢがＲＭＳＩに関連付けられているかどうかの指示、およびＳＳＢが同期信号ラスタ上にあるかどうかの情報である。
【０１１０】
ステップＳ５０２後、ｇＮＢ４は、セルについての入手された情報に従って、セルのタイプを決定する。
【０１１１】
実施形態５のある場合、ｇＮＢ４は、１つのセルについての情報を入手し、セルについての情報は、ＮＣＧＩと、セルが属するセル群のセル群識別子とを含む。この時点で、それは、セルが広帯域キャリアに属することを示す。セルについての情報は、ＰＣＩと、周波数点情報と、帯域幅と、セルがＳＳＢを含むかどうかの情報と、ＳＳＢがＲＭＳＩに関連付けられているかどうかの指示と、ＳＳＢが同期信号ラスタ上にあるかどうかの情報とをさらに含む。セルの下の端末が、アイドル状態であるとき、セルについての情報が、セルがＳＳＢを含み、ＳＳＢがＲＭＳＩに関連付けられており、ＳＳＢが同期信号ラスタ上にあることを含む場合、セルは、ＳＡセルとしての役割を果たすことができ、そうでなければ、セルは、ＮＳＡセルのみとしての役割を果たすことができる。セルの下の端末が、接続状態であるとき、セルについての情報が、セルがＳＳＢを含み、ＳＳＢがＲＭＳＩに関連付けられており、ＳＳＢが同期信号ラスタ上にあることを含む場合、セルは、Ｐセルとしての役割を果たすことができ、そうでなければ、セルがＳＳＢを含む場合、セルは、Ｐｓセルとしての役割を果たすことができ、物理的セルがＳＳＢを含まない場合、セルは、Ｓセルのみとしての役割を果たすことができる。
（実施形態６）
【０１１２】
本開示の実施形態６は、情報を入手する方法を提供し、方法は、ｇＮＢに適用されることができる。図７に示されるように、方法は、下で説明されるステップを含む。
【０１１３】
ステップ６０１において、ｇＮＢ６が、ｇＮＢ７によって伝送される第１のメッセージを受信する。
【０１１４】
第１のメッセージは、ＸｎインターフェースのＸＮ設定要求、ＸＮ設定応答、ＮＧ−ＲＡＮノード構成更新、またはＮＧ−ＲＡＮノード構成更新確認応答であり得る。
【０１１５】
第１のメッセージは、ｇＮＢ７のセル群に関連し、セル群は、１つ以上であり得、各セル群は、１つ以上のセルを含み得、各セル群の中のセルは、同一の広帯域キャリアに属する。
【０１１６】
第１のメッセージは、ｇＮＢ７の下の１つ以上のＡタイプセルについての情報を搬送し、各Ａタイプセルは、ＳＳＢを含み、ＳＳＢは、ＲＭＳＩに関連付けられている。各Ａタイプセルについての情報は、ＮＣＧＩと、セルが属するセル群のセル群識別子と、ＰＣＩと、周波数点情報と、帯域幅と、セルのＳＳＢが同期信号ラスタ上にあるかどうかの情報とを含む。
【０１１７】
第１のメッセージは、ｇＮＢ７の下の１つ以上のＢタイプセルについての情報をさら搬送し、各Ｂタイプセルは、ＳＳＢを含み、ＳＳＢは、ＲＭＳＩに関連付けられない；または、各Ｂタイプセルは、ＳＳＢを含まない。各Ｂタイプセルについての情報は、セルが属するセル群のセル群識別子と、セルがＳＳＢを含むかどうかと、ＰＣＩと、周波数点情報と、帯域幅と、セル役割指示とを含む。
【０１１８】
ステップＳ６０２において、ｇＮＢ６は、第１のメッセージからｇＮＢ７の下のセルについての情報を入手する。
【０１１９】
ｇＮＢ６によって入手されるセルについての情報は、Ａタイプセルについての情報（ＮＣＧＩ、セルが属するセル群のセル群識別子、ＰＣＩ、周波数点情報、帯域幅、およびＳＳＢが同期信号ラスタ上にあるかどうかの情報を含む）と、Ｂタイプセルについての情報（セルが属するセル群のセル群識別子、セルがＳＳＢを含むかどうか、ＰＣＩ、周波数点情報、帯域幅、およびセル役割指示を含む）とである。
【０１２０】
ステップＳ６０２後、ｇＮＢ６は、セルについての入手された情報に従って、セルのタイプを決定する。
【０１２１】
実施形態６のある場合、ｇＮＢ６は、１つのＡタイプセルについての情報を入手し、１つのＡタイプセルについての情報は、ＮＣＧＩと、１つのＡタイプセルが属するセル群のセル群識別子と、ＰＣＩと、周波数点情報と、帯域幅と、１つのＡタイプセルのＳＳＢが同期信号ラスタ上にあるかどうかの情報とを含む。この時点で、それは、１つのＡタイプセルが広帯域キャリアに属することを示す。１つのＡタイプセルについての情報が、１つのＡタイプセルのＳＳＢが同期信号ラスタ上にあることを含む場合、１つのＡタイプセルは、ＳＡセルとしての役割を果たすことができ、１つのＡタイプセルについての情報が、１つのＡタイプセルのＳＳＢが同期信号ラスタ外にあることを含む場合、１つのＡタイプセルは、ＮＳＡセルのみとしての役割を果たすことができる。ｇＮＢ６は、１つのＢタイプセルについての情報をさらに入手し、１つのＢタイプセルについての情報は、１つのＢタイプセルが属するセル群のセル群識別子と、ＰＣＩと、周波数点情報と、帯域幅と、１つのＢタイプセルがＳＳＢを含むかどうかと、セル役割指示とを含む。この時点で、それは、１つのＢタイプセルが広帯域キャリアに属することを示す。１つのＢタイプセルについての情報が、ＢタイプセルがＳＳＢを含むことを含む場合、それは、ＳＳＢがＲＭＳＩに関連付けられていないことを示し、次いで、１つのＢタイプセルは、Ｐｓセルとしての役割を果たすことができ、１つのＢタイプセルについての情報が、ＳＳＢを含まない場合、１つのＢタイプセルは、Ｓセルのみとしての役割を果たすことができる。
（実施形態７）
【０１２２】
本開示の実施形態７は、情報を入手する方法を提供し、方法は、ＤＵに適用されることができる。図８に示されるように、方法は、下で説明されるステップを含む。
【０１２３】
ステップ７０１において、ＤＵ２が、ＣＵ２によって伝送される第１のメッセージを受信する。
【０１２４】
第１のメッセージは、Ｆ１インターフェースのＦ１設定要求、ＧＮＢ−ＣＵ構成更新、およびＧＮＢ−ＣＵ構成更新確認応答であり得る。
【０１２５】
第１のメッセージは、ＣＵ２のセル群に関連し、セル群は、１つ以上であり得、各セル群は、１つ以上のセルを含み得、各セル群の中のセルは、同一の広帯域キャリアに属する。
【０１２６】
第１のメッセージは、ＣＵ２の下の１つ以上のセル群についての情報を搬送し、各セル群についての情報は、ＣＵ２の下の１つ以上のＡタイプセルについての情報と、ＣＵ２の下の１つ以上のＢタイプセルについての情報と、全てのセルが属するセル群のセル群識別子とを含む。
【０１２７】
各Ａタイプセルは、ＳＳＢを含み、ＳＳＢは、ＲＭＳＩに関連付けられている。各Ａタイプセルについての情報は、ＮＣＧＩと、ＰＣＩと、周波数点情報と、帯域幅と、セルのＳＳＢが同期信号ラスタ上にあるかどうかの情報とを含む。
【０１２８】
各Ｂタイプセルは、ＳＳＢを含み、ＳＳＢは、ＲＭＳＩに関連付けられていない；または、各Ｂタイプセルは、ＳＳＢを含まない。各Ｂタイプセルについての情報は、セルがＳＳＢを含むかどうかと、ＰＣＩと、周波数点情報と、帯域幅と、セル役割指示とを含む。
【０１２９】
ステップＳ７０２において、ＤＵ２は、第１のメッセージからＣＵ２の下のセル群についての情報を入手する。
【０１３０】
ＤＵ２によって入手されるセル群についての情報は、ＣＵ２の下の１つ以上のＡタイプセルについての情報、ＣＵ２の下の１つ以上のＢタイプセルについての情報、および全てのセルが属するセル群のセル群識別子である。
【０１３１】
ステップＳ７０２後、ＤＵ２は、セルについての入手された情報に従って、セルのタイプを決定する。
【０１３２】
実施形態７のある場合、ＤＵ２は、セル群についての１つの情報を入手し、セル群についての情報は、１つのＡタイプセルについての情報と、１つのＢタイプセルについての情報と、全てのセルが属するセル群のセル群識別子とを含む。この時点で、それは、セル群の中のセルが広帯域キャリアに属することを示す。Ａタイプセルについての情報は、ＮＣＧＩと、ＰＣＩと、周波数点情報と、帯域幅と、セルのＳＳＢが同期信号ラスタ上にあるかどうかの情報とを含む。セルについての情報が、セルのＳＳＢが同期信号ラスタ上にあることを含む場合、セルは、ＳＡセルとしての役割を果たすことができ、セルについての情報が、セルのＳＳＢが同期信号ラスタ外にあることを含む場合、セルは、ＮＳＡセルのみとしての役割を果たすことができる。Ｂタイプセルについての情報は、ＰＣＩと、周波数点情報と、帯域幅と、セルがＳＳＢを含むかどうかと、セル役割指示とを含む。セルについての情報が、セルがＳＳＢを含むことを含む場合、それは、ＳＳＢがＲＭＳＩに関連付けられていないことを示し、次いで、セルは、Ｐｓセルとしての役割を果たすことができ、セルについての情報が、ＳＳＢを含まない場合、セルは、Ｓセルのみとしての役割を果たすことができる。
（実施形態８）
【０１３３】
本開示の実施形態８は、情報を入手するためのデバイスを提供し、デバイスは、第１のノードに適用されることができる。図９に示されるように、デバイスは、第１の受信モジュール８０１と、第１の入手モジュール８０２とを含む。第１の受信モジュール８０１は、第１のノードが第２のノードによって伝送された第１のメッセージを受信するために使用され、第１のメッセージは、第２のノードのセル群に関連し、各セル群の中のセルは、同一の広帯域キャリアに属する。第１の入手モジュール８０２は、第１のノードが第１のメッセージから第２のノードの下のセルについての情報を入手するために使用される。
【０１３４】
第１のメッセージは、第２のノードの下の１つ以上のセルについての情報を搬送し、各セルについての情報は、セル識別子と、１つ以上の物理的セルについての情報とを含むか、または、各セルについての情報は、セル識別子と、１つ以上の物理的セルについての情報と、セルがセル群に属するかどうかの指示とを含む。各物理的セルについての情報は、ＰＣＩ、周波数点情報、帯域幅、物理的セルがＳＳＢを含むかどうかの情報、ＳＳＢがＲＭＳＩに関連付けられているかどうかの指示、ＳＳＢが同期信号ラスタ上にあるかどうかの情報、またはセル役割指示のうちの少なくとも１つを含む。
【０１３５】
第１のメッセージは、第２のノードの下の１つ以上のセルについての情報を搬送し、各セルについての情報は、セル識別子と、セルが属するセル群のセル群識別子とを含むか、または、各セルについての情報は、セル識別子と、セルがセル群に属するかどうかの指示とを含む。各セルについての情報は、ＰＣＩ、周波数点情報、帯域幅、セルがＳＳＢを含むかどうかの情報（例えば、ＳＭＴＣが含まれるかどうかによって表され得、ＳＭＴＣが含まれる場合、ＳＳＢが、含まれ、ＳＭＴＣが含まれない場合、ＳＳＢは、含まれない）、ＳＳＢがＲＭＳＩに関連付けられているかどうかの指示、ＳＳＢが同期信号ラスタ上にあるかどうかの情報、またはセル役割指示のうちの少なくとも１つをさらに含む。
【０１３６】
第１のメッセージは、第２のノードの下の１つ以上のセルについての情報を搬送し、各セルは、ＳＳＢを含み、ＳＳＢは、ＲＭＳＩに関連付けられている。各セルについての情報は、セル識別子と、セルが属するセル群のセル群識別子と、ＰＣＩ、周波数点情報、帯域幅、ＳＳＢが同期信号ラスタ上にあるかどうかの情報、またはセル役割指示のうちの少なくとも１つとを含む。
【０１３７】
第１のメッセージは、第２のノードの下の１つ以上のセルについての情報を搬送し、各セルは、ＳＳＢを含み、ＳＳＢは、ＲＭＳＩに関連付けられていない。各セルについての情報は、セルが属するセル群のセル群識別子と、ＰＣＩ、周波数点情報、帯域幅、ＳＳＢが同期信号ラスタ上にあるかどうかの情報、またはセル役割指示のうちの少なくとも１つとを含む。
【０１３８】
第１のメッセージは、第２のノードの下の１つ以上のセルについての情報を搬送し、各セルは、ＳＳＢを含まない。各セルについての情報は、セルが属するセル群のセル群識別子と、ＰＣＩ、周波数点情報、帯域幅、またはセル役割指示のうちの少なくとも１つとを含む。
【０１３９】
第１のメッセージは、１つ以上のセル群についての情報を搬送し、各セル群は、第２のノードの下の１つ以上のセルについての情報と、セル群のセル群識別子とを含む。各セルは、ＳＳＢを含み、ＳＳＢは、ＲＭＳＩに関連付けられている。各セルについての情報は、セル識別子と、ＰＣＩ、周波数点情報、帯域幅、ＳＳＢが同期信号ラスタ上にあるかどうかの情報、またはセル役割指示のうちの少なくとも１つとを含む。
【０１４０】
第１のメッセージは、１つ以上のセル群についての情報を搬送し、各セル群は、第２のノードの下の１つ以上のセルについての情報と、セル群のセル群識別子とを含む。各セルは、ＳＳＢを含み、ＳＳＢは、ＲＭＳＩに関連付けられていない。各セルについての情報は、ＰＣＩ、周波数点情報、帯域幅、ＳＳＢが同期信号ラスタ上にあるかどうかの情報、またはセル役割指示のうちの少なくとも１つを含む。
【０１４１】
第１のメッセージは、１つ以上のセル群についての情報を搬送し、各セル群についての情報は、第２のノードの下の１つ以上のセルについての情報と、セル群のセル群識別子とを含む。各セルは、ＳＳＢを含まない。各セルについての情報は、ＰＣＩ、周波数点情報、帯域幅、またはセル役割指示のうちの少なくとも１つを含む。
【０１４２】
セル識別子は、ＮＣＧＩを含む。
【０１４３】
第２のノードの下のセルが、ＦＤＤサービングセルであるとき、周波数点情報は、アップリンクＮＲ−ＡＲＦＣＮと、ダウンリンクＮＲ−ＡＲＦＣＮとを含む。第２のノードの下のセルが、ＦＤＤ隣接セルであるとき、周波数点情報は、ダウンリンクＮＲ−ＡＲＦＣＮを含む。第２のノードの下のセルが、ＴＤＤサービングセルまたはＴＤＤ隣接セルであるとき、周波数点情報は、ＮＲ−ＡＲＦＣＮを含む。
【０１４４】
第２のノードの下のセルが、ＳＳＢを含むとき、ダウンリンクＮＲ−ＡＲＦＣＮまたはＮＲ−ＡＲＦＣＮは、ＳＳＢの中心周波数点またはグローバル同期チャネル番号（ＧＳＣＮ）を含むか、または、アップリンクＮＲ−ＡＲＦＣＮ、ダウンリンクＮＲ−ＡＲＦＣＮ、またはＮＲ−ＡＲＦＣＮは、セルが属する広帯域キャリアの基準点Ａの絶対周波数位置を含む。第２のノードの下のセルが、ＳＳＢを含まないとき、アップリンクＮＲ−ＡＲＦＣＮ、ダウンリンクＮＲ−ＡＲＦＣＮ、またはＮＲ−ＡＲＦＣＮは、セルが属する広帯域キャリアの基準点Ａの絶対周波数位置を含む。
【０１４５】
セル群識別子は、セル群の中のセルが属する広帯域キャリアの周波数点、セル群の中のセルが属する広帯域キャリアの基準点Ａの絶対周波数位置、または負ではない整数を含む。
【０１４６】
セル役割指示は、第２のノードの下のセルがＳＡセルとしての役割を果たすかどうかの指示、第２のノードの下のセルがＮＳＡセルのみとしての役割を果たすかどうかの指示、第２のノードの下のセルがＰセルとしての役割を果たすかどうかの指示、第２のノードの下のセルがＰｓセルとしての役割を果たすかどうかの指示、または第２のノードの下のセルがＳセルのみとしての役割を果たすかどうかの指示のうちの少なくとも１つを含む。
（実施形態９）
【０１４７】
本開示の実施形態９は、情報を入手するための装置を提供し、装置は、プロセッサと、プロセッサに結合されたメモリとを含む。メモリは、情報を入手するためのプログラムを記憶し、プログラムは、プロセッサ上で実行され、情報を入手するためのプログラムは、プロセッサによって実行されると、下で説明されるステップを実装する。
【０１４８】
ステップＳ１０１において、第１のノードが、第２のノードによって伝送された第１のメッセージを受信し、第１のメッセージは、第２のノードのセル群に関連し、各セル群の中の各セルは、同一の広帯域キャリアに属する。
【０１４９】
ステップＳ１０２において、第１のノードは、第１のメッセージから第２のノードの下のセルについての情報を入手する。
【０１５０】
実施形態９のある場合、実施形態１−７におけるステップも、プロセッサがプログラムを実行するときに実装されることができる。
（実施形態１０）
【０１５１】
実施形態１０は、情報を入手するためのプログラムを記憶しているコンピュータ記憶媒体を提供し、情報を入手するためのプログラムがプロセッサによって実行されると、以下のステップが、実装される。
【０１５２】
ステップＳ１０１において、第１のノードが、第２のノードによって伝送された第１のメッセージを受信し、第１のメッセージは、第２のノードのセル群に関連し、各セル群の中の各セルは、同一の広帯域キャリアに属する。
【０１５３】
ステップＳ１０２において、第１のノードは、第１のメッセージから第２のノードの下のセルについての情報を入手する。
【０１５４】
本実施形態において、上で述べられる記憶媒体は、限定ではないが、ＵＳＢフラッシュディスク、読み取り専用メモリ（ＲＯＭ）、ランダムアクセスメモリ（ＲＡＭ）、モバイルハードディスク、磁気ディスク、光ディスク、またはプログラムコードを記憶することが可能な別の媒体を含み得る。
【０１５５】
実施形態１０のある場合、実施形態１−１１におけるステップも、プロセッサがプログラムを実行するときに実装されることができる。
（実施形態１１）
【０１５６】
本開示の実施形態１１は、情報を入手する方法を提供し、方法は、第１のノードに適用されることができる。図１０に示されるように、方法は、下で説明されるステップを含む。
【０１５７】
ステップＳ９０１において、第１のノードが、第２のノードによって伝送される第２のメッセージを受信し、第２のメッセージは、セル識別子、およびＰＣＩまたは周波数点情報のうちの少なくとも１つを搬送する。
【０１５８】
ステップＳ９０２において、第１のノードは、第２のメッセージから第２のノードの下のセルについての情報を入手する。
【０１５９】
ステップＳ９０３において、第１のノードが、第２のノードの下のセルについての情報が採用条件を満たさないことを決定するとき、第１のノードは、第３のメッセージを第２のノードに伝送する。第３のメッセージは、採用条件を満たさない理由または推奨セルリストのうちの少なくとも１つを搬送する。
【０１６０】
上で述べられるステップを通して、第１のノードは、第２のメッセージを受信し、第２のメッセージから第２のノードの下のセルについての情報を入手し、セルについての情報が採用条件を満たさないことが決定されるとき、採用条件を満たさない理由等の情報を第２のノードに伝送する。上で述べられる方式を通して、第２のノードは、後続のアクションを正しく実施することができる。
【０１６１】
ステップＳ９０１において、第１のノードは、第２のノードによって伝送される第２のメッセージを受信する。
【０１６２】
第１のノードは、基地局であり得、基地局は、ｅＮＢであり得るか、または、基地局はｇＮＢでもあり得、または、第１のノードは、ＣＵまたはＤＵでもあり得る。第２のノードは、基地局であり得、基地局は、ｇＮＢであり得；または、第２のノードは、ＣＵまたはＤＵであり得る。
【０１６３】
第２のメッセージは、ＥＮ−ＤＣ  Ｘ２インターフェースのＳＧＮＢ追加要求またはＳＧＮＢ修正要求であり得る。第２のメッセージは、Ｘｎインターフェースのハンドオーバ要求、Ｓ−ノード追加要求、またはＳ−ノード修正要求であり得る。さらに、第２のメッセージは、Ｆ１インターフェースのＵＥコンテキスト設定要求、ＵＥコンテキスト修正要求、または初期ＵＬ  ＲＲＣメッセージ転送であり得る。第２のメッセージは、他のメッセージであり得、例えば、新しいメッセージであり得る。
【０１６４】
実施形態１１のある場合、第１のノードは、ｅＮＢであり得、第２のノードは、ｇＮＢであり得、第１のノードと第２のノードとの間のインターフェースは、ＥＮ−ＤＣ  Ｘ２インターフェースであり得、第１のメッセージは、ＳＧＮＢ修正要求であり得る。実施形態１１の別の場合、第１のノードは、ＣＵであり得、第２のノードは、ＤＵであり得、第１のノードと第２のノードとの間のインターフェースは、Ｆ１インターフェースであり得、第１のメッセージは、ＵＥコンテキスト設定要求であり得る。
【０１６５】
第２のメッセージは、セル識別子、ＰＣＩ、および周波数点情報を搬送する、または第２のメッセージは、セル識別子およびＰＣＩを搬送する、または第２のメッセージは、セル識別子および周波数点情報を搬送する。
【０１６６】
実施形態１１のある場合、上で述べられるセル識別子は、ＮＣＧＩを含む。
【０１６７】
実施形態１１のある場合、第２のノードの下のセルが、ＦＤＤサービングセルであるとき、周波数点情報は、アップリンクＮＲ−ＡＲＦＣＮと、ダウンリンクＮＲ−ＡＲＦＣＮとを含む。第２のノードの下のセルが、ＦＤＤ隣接セルであるとき、周波数点情報は、ダウンリンクＮＲ−ＡＲＦＣＮを含む。第２のノードの下のセルが、ＴＤＤサービングセルまたはＴＤＤ隣接セルであるとき、周波数点情報は、ＮＲ−ＡＲＦＣＮを含む。ＴＤＤシステム内のＮＲ−ＡＲＦＣＮのアップリンクとダウンリンクとの間で区別が行われないので、周波数点情報は、ＮＲ−ＡＲＦＣＮを含むことに留意されたい。したがって、上で述べられるアップリンクＮＲ−ＡＲＦＣＮ、ダウンリンクＮＲ−ＡＲＦＣＮ、およびＮＲ−ＡＲＦＣＮは、３つの異なる概念である。
【０１６８】
ステップＳ９０２において、第１のノードは、第２のメッセージから第２のノードの下のセルについての情報を入手する。
【０１６９】
第２のノードの下のセルについての情報は、セル識別子と、ＰＣＩと、周波数点情報とを含み得る。
【０１７０】
ステップＳ９０３において、第１のノードが、第２のノードの下のセルについての情報が採用条件を満たさないことを決定するとき、第１のノードは、第３のメッセージを第２のノードに伝送する。
【０１７１】
第１のノードは、第２のノードの下のセルについての情報が採用条件を満たさないことを決定し、それは、第１のノードが、ＰＣＩおよび周波数点情報に従って、第２のノードの下のセルのアップリンク初期帯域幅部分（ＢＷＰ）およびダウンリンク初期ＢＷＰを入手することと、第１のノードが、アップリンク初期ＢＷＰおよびダウンリンク初期ＢＷＰに従って、第２のノードの下のセルが負荷条件を満たさないことを決定することとを含み得る。
【０１７２】
第３のメッセージは、ＥＮ−ＤＣ  Ｘ２インターフェースのＳＧＮＢ追加要求拒否またはＳＧＮＢ修正要求拒否であり得る。第３のメッセージは、Ｘｎインターフェースのハンドオーバ準備失敗、Ｓ−ノード追加要求拒否、またはＳ−ノード修正要求拒否でもあり得る。さらに、第３のメッセージは、Ｆ１インターフェースのＵＥコンテキスト設定失敗、ＵＥコンテキスト設定応答、ＵＥコンテキスト修正失敗、またはＵＥコンテキスト修正応答であり得る。第３のメッセージは、他のメッセージであり得、例えば、新しいメッセージであり得る。
【０１７３】
第３のメッセージは、採用条件を満たさない理由を搬送し、採用条件を満たさない理由は、アップリンク初期ＢＷＰ負荷の理由、ダウンリンク初期ＢＷＰ負荷の理由、またはアップリンク初期ＢＷＰ負荷およびダウンリンク初期ＢＷＰ負荷の理由を含む。
【０１７４】
第３のメッセージは、推奨セルリストを搬送し、推奨セルリストは、採用条件を満たすセルのセル識別子、採用条件を満たすセルのＰＣＩ、または採用条件を満たすセルの周波数点情報のうちの少なくとも１つを含む。
【０１７５】
ステップＳ９０３の後、方法は、下で説明されるステップをさらに含み得る。第１のノードが、第２のノードの下のセルについての情報が採用条件を満たすことを決定するとき、第１のノードは、ＰＣＩおよび周波数点情報に従って、第２のノードの下のセル上のアップリンク初期ＢＷＰおよびダウンリンク初期ＢＷＰを入手する。第１のノードの下のアイドルまたは非アクティブ端末が、ダウンリンク初期ＢＷＰ上でシステム情報およびページング情報を監視し、端末は、ダウンリンク初期ＢＷＰおよびアップリンク初期ＢＷＰ上でランダムアクセスを実施する。
（実施形態１２）
【０１７６】
本開示の実施形態１２は、情報を入手するためのデバイスを提供し、デバイスは、第１のノードに適用されることができる。図１１に示されるように、デバイスは、第２の受信モジュール１００１と、第２の入手モジュール１００２と、伝送モジュール１００３とを含む。第２の受信モジュール１００１は、第１のノードが第２のノードによって伝送される第２のメッセージを受信するために使用され、第２のメッセージは、セル識別子、およびＰＣＩまたは周波数点情報のうちの少なくとも１つを搬送する。第２の入手モジュール１００２は、第１のノードが第２のメッセージから第２のノードの下のセルについての情報を入手するために使用される。第１のノードが、第２のノードの下のセルについての情報が採用条件を満たさないことを決定するとき、第１のノードは、第３のメッセージを第２のノードに伝送し、第３のメッセージは、採用条件を満たさない理由または推奨セルリストのうちの少なくとも１つを搬送する。
【０１７７】
第１のノードは、第２のノードの下のセルについての情報が採用条件を満たさないことを決定し、それは、第１のノードが、ＰＣＩおよび周波数点情報に従って、第２のノードの下のセルのアップリンク初期ＢＷＰおよびダウンリンク初期ＢＷＰを入手することと、第１のノードが、アップリンク初期ＢＷＰおよびダウンリンク初期ＢＷＰに従って、第２のノードの下のセルが負荷条件を満たさないことを決定することを含む。
【０１７８】
採用条件を満たさない理由は、アップリンク初期ＢＷＰ負荷の理由、ダウンリンク初期ＢＷＰ負荷の理由、またはアップリンク初期ＢＷＰ負荷およびダウンリンク初期ＢＷＰ負荷の理由のうちの少なくとも１つを含む。
【０１７９】
推奨セルリストは、採用条件を満たすセルのセル識別子、採用条件を満たすセルのＰＣＩ、または採用条件を満たすセルの周波数点情報のうちの少なくとも１つを含む。
（実施形態１３）
【０１８０】
本開示の実施形態１３は、情報を入手するための装置を提供し、装置は、プロセッサと、プロセッサに結合されたメモリとを含む。メモリは、情報を入手するためのプログラムを記憶し、プログラムは、プロセッサ上で実行され、情報を入手するためのプログラムは、プロセッサによって実行されると、下で説明されるステップを実装する。
【０１８１】
ステップＳ９０１において、第１のノードが、第２のノードによって伝送される第２のメッセージを受信し、第２のメッセージは、セル識別子およびＰＣＩまたは周波数点情報のうちの少なくとも１つを搬送する。
【０１８２】
ステップＳ９０２において、第１のノードは、第２のメッセージから第２のノードの下のセルについての情報を入手する。
【０１８３】
ステップＳ９０３において、第１のノードが、第２のノードの下のセルについての情報が採用条件を満たさないことを決定するとき、第１のノードは、第３のメッセージを第２のノードに伝送する。第３のメッセージは、採用条件を満たさない理由または推奨セルリストのうちの少なくとも１つを搬送する。
【０１８４】
実施形態１３のある場合、実施形態１１におけるステップが、プロセッサがプログラムを実行すると、さらに実装されることができる。
（実施形態１４）
【０１８５】
実施形態１４は、情報を入手するためのプログラムを記憶しているコンピュータ記憶媒体を提供し、情報を入手するためのプログラムがプロセッサによって実行されると、以下のステップが、実装される。
【０１８６】
ステップＳ９０１において、第１のノードが、第２のノードによって伝送される第２のメッセージを受信し、第２のメッセージは、セル識別子およびＰＣＩまたは周波数点情報のうちの少なくとも１つを搬送する。
【０１８７】
ステップＳ９０２において、第１のノードは、第２のメッセージから第２のノードの下のセルについての情報を入手する。
【０１８８】
ステップＳ９０３において、第１のノードが、第２のノードの下のセルについての情報が採用条件を満たさないことを決定するとき、第１のノードは、第３のメッセージを第２のノードに伝送する。第３のメッセージは、採用条件を満たさない理由または推奨セルリストのうちの少なくとも１つを搬送する。
【０１８９】
本実施形態において、上で述べられる記憶媒体は、限定ではないが、ＵＳＢフラッシュディスク、読み取り専用メモリ（ＲＯＭ）、ランダムアクセスメモリ（ＲＡＭ）、モバイルハードディスク、磁気ディスク、光ディスク、またはプログラムコードを記憶することが可能な別の媒体を含み得る。
【０１９０】
実施形態１４のある場合、実施形態１１におけるステップが、プロセッサがプログラムを実行すると、さらに実装されることができる。
（実施形態１５）
【０１９１】
本開示の実施形態１５は、情報を入手する方法を提供し、方法は、第１のノードに適用されることができる。図１２に示されるように、方法は、下で説明されるステップを含む。
【０１９２】
ステップＳ１１０１において、第１のノードが、第２のノードによって伝送された第１のメッセージを受信し、第１のメッセージは、第２のノードの広帯域キャリアに関連する。
【０１９３】
ステップＳ１１０２において、第１のノードは、第１のメッセージから第２のノードの下のセルについての情報を入手する。
【０１９４】
上で述べられるステップを通して、第１のノードは、第２のノードの広帯域キャリアに関連し、第２のノードによって伝送された第１のメッセージを受信し、続いて、第１のノードは、第１のメッセージから第２のノードの下のセルについての情報を入手する。上で述べられるソリューションを通して、第１のノードは、ＲＡＮのスループット率および無線リソースの利用の改良が、広帯域キャリアが導入された後、確実にされ得るように、第２のノードの下の広帯域キャリアのためのセルについての情報を入手することができる。
【０１９５】
ステップＳ１１０１において、第１のノードは、第２のノードによって伝送された第１のメッセージを受信する。第１のノードは、基地局であり得、基地局は、ｅＮＢであり得るか、または、基地局は、ｇＮＢでもあり得る；または、第１のノードは、ＣＵまたはＤＵでもあり得る。第２のノードは、基地局であり得、基地局は、ｇＮＢであり得；または、第２のノードは、ＣＵまたはＤＵであり得る。
【０１９６】
第１のメッセージは、ＥＮ−ＤＣ  Ｘ２インターフェースのＥＮ−ＤＣ  Ｘ２設定要求、ＥＮ−ＤＣ  Ｘ２設定応答、ＥＮ−ＤＣ構成更新、またはＥＮ−ＤＣ構成更新確認応答であり得る。第１のメッセージは、ＸｎインターフェースのＸＮ設定要求、ＸＮ設定応答、ＮＧ−ＲＡＮノード構成更新、またはＮＧ−ＲＡＮノード構成更新確認応答でもあり得る。さらに、第１のメッセージは、Ｆ１インターフェースのＦ１設定要求、ＧＮＢ−ＣＵ構成更新、およびＧＮＢ−ＤＵ構成更新確認応答であり得る。第１のメッセージは、他のメッセージであり得、例えば、新しいメッセージであり得る。
【０１９７】
実施形態１５のある場合、第１のノードは、ｅＮＢであり得、第２のノードは、ｇＮＢであり得、第１のノードと第２のノードとの間のインターフェースは、ＥＮ−ＤＣ  Ｘ２インターフェースであり得、第１のメッセージは、ＥＮ−ＤＣ  Ｘ２設定要求であり得る。実施形態１５の別の場合、第１のノードは、ＣＵであり得、第２のノードは、ＤＵであり得、第１のノードと第２のノードとの間のインターフェースは、Ｆ１インターフェースであり得、第１のメッセージは、ＧＮＢ−ＤＵ構成更新であり得る。
【０１９８】
ステップＳ１１０１において、第１のメッセージは、第２のノードの広帯域キャリアに関連する。１つ以上のセルが、第２のノードの下に含まれ、複数のセルが、第２のノードの下に含まれるとき、複数のセルは、同一の広帯域キャリアに属し得るか、または、異なる広帯域キャリアに属し得る。例えば、１０個のセルが、第２のノードの下に含まれるとき、３つのセルが、１つの広帯域キャリアに属し、７つのセルが、他の広帯域キャリアに属する。
【０１９９】
実施形態１５のある場合、第１のメッセージは、第２のノードの下の１つ以上のセルについての情報を搬送し、各セルについての情報は、セル識別子と、１つ以上の物理的セルについての情報とを含む。各物理的セルについての情報は、ＰＣＩ、周波数点情報、帯域幅、物理的セルがＳＳＢを含むかどうかの情報、ＳＳＢがＲＭＳＩに関連付けられているかどうかの指示、ＳＳＢが同期信号ラスタ上にあるかどうかの情報、およびセル役割指示のうちの少なくとも１つを含む。
【０２００】
ＳＳＢが同期信号ラスタ上にあるかどうかの情報は、ＳＳＢが同期信号ラスタ上にあること、またはＳＳＢが同期信号ラスタ外にあることを含み得る。物理的セルがＳＳＢを含むかどうかの情報は、例えば、ＳＭＴＣが含まれるかどうかによって表され得、ＳＭＴＣが含まれる場合、ＳＳＢが、含まれ、ＳＭＴＣが含まれない場合、ＳＳＢは、含まれない。ＳＳＢが同期信号ラスタ上にあるかどうかの上で述べられる情報および物理的セルがＳＳＢを含むかどうかの情報は、実施形態１における他の場合に適用され得る。
【０２０１】
実施形態１５のある場合、第１のメッセージは、第２のノードの下の１つ以上のセルについての情報を搬送し、各セルについての情報は、セル識別子と、１つ以上の物理的セルについての情報と、セルが広帯域キャリアに属するかどうかの指示とを含む。各物理的セルについての情報は、ＰＣＩ、周波数点情報、帯域幅、物理的セルがＳＳＢを含むかどうかの情報、ＳＳＢがＲＭＳＩに関連付けられているかどうかの指示、ＳＳＢが同期信号ラスタ上にあるかどうかの情報、またはセル役割指示のうちの少なくとも１つを含む。
【０２０２】
実施形態１５のある場合、第１のメッセージは、第２のノードの下の１つ以上のセルについての情報を搬送し、各セルについての情報は、セル識別子と、ＰＣＩ、周波数点情報、帯域幅、セルがＳＳＢを含むかどうかの情報、ＳＳＢがＲＭＳＩに関連付けられているかどうかの指示、ＳＳＢが同期信号ラスタ上にあるかどうかの情報、セルが属する広帯域キャリアの広帯域キャリア識別子、セルが広帯域キャリアに属するかどうかの情報、またはセル役割指示のうちの少なくとも１つとを含む。
【０２０３】
実施形態１５のある場合、第１のメッセージは、第２のノードの下の１つ以上のセルについての情報を搬送し、各セルについての情報は、セル識別子と、セルが属する広帯域キャリアの広帯域キャリア識別子と、ＰＣＩ、周波数点情報、帯域幅、セルがＳＳＢを含むかどうかの情報、ＳＳＢがＲＭＳＩに関連付けられているかどうかの指示、ＳＳＢが同期信号ラスタ上にあるかどうかの情報、またはセル役割指示のうちの少なくとも１つとを含む。
【０２０４】
実施形態１５のある場合、第１のメッセージは、第２のノードの下の１つ以上のセルについての情報を搬送し、各セルについての情報は、セル識別子と、セルがセル群に属するかどうかの指示と、ＰＣＩ、周波数点情報、帯域幅、セルがＳＳＢを含むかどうかの情報、ＳＳＢがＲＭＳＩに関連付けられているかどうかの指示、ＳＳＢが同期信号ラスタ上にあるかどうかの情報、またはセル役割指示のうちの少なくとも１つとを含む。
【０２０５】
実施形態１５のある場合、第１のメッセージは、第２のノードの下の１つ以上のセルについての情報を搬送し、各セルは、ＳＳＢを含み、ＳＳＢは、ＲＭＳＩに関連付けられている。各セルについての情報は、セル識別子と、セルが属する広帯域キャリアの広帯域キャリア識別子と、ＰＣＩ、周波数点情報、帯域幅、セルのＳＳＢが同期信号ラスタ上にあるかどうか、またはセル役割指示のうちの少なくとも１つとを含む。
【０２０６】
実施形態１５のある場合、第１のメッセージは、第２のノードの下の１つ以上のセルについての情報を搬送し、各セルは、ＳＳＢを含み、ＳＳＢは、ＲＭＳＩに関連付けられていない。各セルについての情報は、セルが属する広帯域キャリアの広帯域キャリア識別子と、ＰＣＩ、周波数点情報、帯域幅、セルのＳＳＢが同期信号ラスタ上にあるかどうか、またはセル役割指示のうちの少なくとも１つとを含む。
【０２０７】
実施形態１５のある場合、第１のメッセージは、第２のノードの下の１つ以上のセルについての情報を搬送し、各セルは、ＳＳＢを含まない。各セルについての情報は、セルが属する広帯域キャリアの広帯域キャリア識別子と、ＰＣＩ、周波数点情報、帯域幅、またはセル役割指示のうちの少なくとも１つとを含む。
【０２０８】
実施形態１５のある場合、第１のメッセージは、１つ以上の広帯域キャリアについての情報を搬送し、各広帯域キャリアについての情報は、第２のセルの下の１つ以上のセルについての情報と、セルが属する広帯域キャリアの広帯域キャリア識別子とを含む。各セルは、ＳＳＢを含み、ＳＳＢは、ＲＭＳＩに関連付けられている。各セルについての情報は、セル識別子と、ＰＣＩ、周波数点情報、帯域幅、ＳＳＢが同期信号ラスタ上にあるかどうかの情報、またはセル役割指示のうちの少なくとも１つとを含む。
【０２０９】
実施形態１５のある場合、第１のメッセージは、１つ以上の広帯域キャリアについての情報を搬送し、各広帯域キャリアについての情報は、第２のセルの下の１つ以上のセルについての情報と、セルが属する広帯域キャリアの広帯域キャリア識別子とを含む。各セルは、ＳＳＢを含み、ＳＳＢは、ＲＭＳＩに関連付けられていない。各セルについての情報は、ＰＣＩ、周波数点情報、帯域幅、ＳＳＢが同期信号ラスタ上にあるかどうかの情報、またはセル役割指示のうちの少なくとも１つを含む。
【０２１０】
実施形態１５のある場合、第１のメッセージは、１つ以上の広帯域キャリアについての情報を搬送し、各広帯域キャリアについての情報は、第２のセルの下の１つ以上のセルについての情報と、セルが属する広帯域キャリアの広帯域キャリア識別子とを含む。各セルは、ＳＳＢを含まない。各セルについての情報は、ＰＣＩ、周波数点情報、帯域幅、またはセル役割指示のうちの少なくとも１つを含む。
【０２１１】
実施形態１５のある場合、異なる組み合わせが、上で説明される実施形態１５の場合に作成され得、すなわち、第１のメッセージは、セルについての情報を搬送し得るか、または、広帯域キャリアについての情報も同時に搬送するか、または、当然ながら、セルについての情報または広帯域キャリアについての情報のみを搬送し得る。各セルについての情報は、同一であるか、または、異なり得るか、または、セルについての情報の一部は、同一であり得、セルについての情報の一部は、異なり得る（上で説明される実施形態１５の場合のセルについての情報は、異なるように組み合わせられ得る）。各広帯域キャリアについての情報は、同一であるか、または、異なり得るか、または、セル群についての情報の一部は、同一であり得、セル群についての情報の一部は、異なり得る（上で説明される実施形態１５の場合の広帯域キャリアについての情報は、異なるように組み合わせられ得る）。
【０２１２】
実施形態１５のある場合、第１のメッセージは、第２のノードの下の１３個のセルについての情報、および２つの広帯域キャリアについての情報を搬送する。１３個のセルについての情報において、５つのセルについての情報は、セル識別子と、１つ以上の物理的セルについての情報とを含み、６つのセルについての情報は、セル識別子と、１つ以上の物理的セルについての情報と、セルが広帯域キャリアに属するかどうかの情報とを含み、２つのセルについての情報は、セル識別子と、セルが属する広帯域キャリアの広帯域キャリア識別子と、ＰＣＩと、周波数点情報と、帯域幅とを含む。２つの広帯域キャリアについての情報において、１つの広帯域キャリアについての情報は、第２のノードの下の７つのセルについての情報と、７つのセルが属する広帯域キャリアの広帯域キャリア識別子とを含む。７つのセルの各々は、ＳＳＢを含み、ＳＳＢは、ＲＭＳＩに関連付けられていない。７つのセルの各々についての情報は、ＰＣＩと、周波数点情報と、帯域幅とを含む。１つの広帯域キャリアについての情報は、第２のノードの下の５つのセルについての情報と、５つの広帯域キャリアの広帯域キャリア識別子とを含む。５つのセルの各々は、ＳＳＢを含まず、５つのセルの各々についての情報は、ＰＣＩと、周波数点情報と、帯域幅と、セル役割指示とを含む。
【０２１３】
実施形態１５のある場合、上で述べられるセル識別子は、ＮＣＧＩを含む。
【０２１４】
実施形態１５のある場合、第２のノードの下のセルが、ＦＤＤサービングセルであるとき、周波数点情報は、アップリンクＮＲ−ＡＲＦＣＮと、ダウンリンクＮＲ−ＡＲＦＣＮとを含む。第２のノードの下のセルが、ＦＤＤ隣接セルであるとき、周波数点情報は、ダウンリンクＮＲ−ＡＲＦＣＮを含む。第２のノードの下のセルが、ＴＤＤサービングセルまたはＴＤＤ隣接セルであるとき、周波数点情報は、ＮＲ−ＡＲＦＣＮを含む。ＴＤＤシステム内のＮＲ−ＡＲＦＣＮのアップリンクとダウンリンクとの間で区別が行われないので、周波数点情報は、ＮＲ−ＡＲＦＣＮを含むことに留意されたい。したがって、上で述べられるアップリンクＮＲ−ＡＲＦＣＮ、ダウンリンクＮＲ−ＡＲＦＣＮ、およびＮＲ−ＡＲＦＣＮは、３つの異なる概念である。
【０２１５】
実施形態１５のある場合、第２のノードの下のセルが、ＳＳＢを含むとき、ダウンリンクＮＲ−ＡＲＦＣＮは、ＳＳＢの中心周波数点またはＧＳＣＮを含むか、または、アップリンクＮＲ−ＡＲＦＣＮまたはダウンリンクＮＲ−ＡＲＦＣＮは、セルが属する広帯域キャリアの基準点Ａの絶対周波数位置を含む。第２のノードの下のセルが、ＳＳＢを含まないとき、アップリンクＮＲ−ＡＲＦＣＮまたはダウンリンクＮＲ−ＡＲＦＣＮは、セルが属する広帯域キャリアの基準点Ａの絶対周波数位置を含む。
【０２１６】
実施形態１５のある場合、第２のノードの下のセルが、ＳＳＢを含むとき、ＮＲ−ＡＲＦＣＮは、ＳＳＢの中心周波数点またはＧＳＣＮを含むか、または、ＮＲ−ＡＲＦＣＮは、セルが属する広帯域キャリアの基準点Ａの絶対周波数位置を含む。第２のノードの下のセルが、ＳＳＢを含まないとき、ＮＲ−ＡＲＦＣＮは、セルが属する広帯域キャリアの基準点Ａの絶対周波数位置を含む。
【０２１７】
実施形態１５のある場合、上で述べられる広帯域キャリア識別子は、広帯域キャリアの周波数点、広帯域キャリアの基準点Ａの絶対周波数位置、または負ではない整数を含む。
【０２１８】
実施形態１５のある場合、セル役割指示は、第２のノードの下のセルがＳＡセルとしての役割を果たすかどうかの指示、第２のノードの下のセルがＮＳＡセルのみとしての役割を果たすかどうかの指示、第２のノードの下のセルがＰセルとしての役割を果たすかどうかの指示、第２のノードの下のセルがＰｓセルとしての役割を果たすかどうかの指示、または第２のノードの下のセルがＳセルのみとしての役割を果たすかどうかの指示のうちの少なくとも１つを含む。
【０２１９】
ステップＳ１１０２において、第１のノードは、第１のメッセージから第２のノードの下のセルについての情報を入手する。第１のノードによって入手されるセルについての情報は、第１のメッセージによって搬送されるセルについての情報に従って決定され、第１のメッセージによって搬送されるセルについての異なる情報は、第１のノードによって入手されるセルについての異なる情報につながるであろう。第１のメッセージが、１つのセルについての情報を搬送する場合、第１のノードは、１つのセルについての情報を入手することができ、第１のメッセージが、複数のセルについての情報を搬送する場合、第１のノードは、対応する複数のセルについての情報を入手し得る。
【０２２０】
実施形態１５のある場合、第１のメッセージは、第２のノードの下の１つ以上のセルについての情報を搬送し、各セルについての情報は、セル識別子と、セルが広帯域キャリアに属するかどうかの情報と、ＰＣＩと、周波数点情報と、セルがＳＳＢを含むかどうかの情報と、ＳＳＢがＲＭＳＩに関連付けられているかどうかの指示と、ＳＳＢが同期信号ラスタ上にあるかどうかの情報とを含む。この時点で、第１のノードによって入手されるセルについての情報は、セル識別子と、セルが広帯域キャリアに属するかどうかの情報と、ＰＣＩと、周波数点情報と、セルがＳＳＢを含むかどうかの情報と、ＳＳＢがＲＭＳＩに関連付けられているかどうかの指示と、ＳＳＢが同期信号ラスタ上にあるかどうかの情報とを含む。
【０２２１】
ステップＳ１１０１後、第１のノードは、セルについての情報に従って、セルのタイプを決定し得る。
【０２２２】
実施形態１５のある場合、第１のノードによって入手されるセルについての情報は、セル識別子と、セルが広帯域キャリアに属するかどうかの情報と、ＰＣＩと、周波数点情報と、セルがＳＳＢを含むかどうかの情報と、ＳＳＢがＲＭＳＩに関連付けられているかどうかの指示と、ＳＳＢが同期信号ラスタ上にあるかどうかの情報とを含む。セルが広帯域キャリアに属するかどうかの情報は、セルが広帯域キャリアに属することであり、セルがＳＳＢを含むかどうかの情報は、セルがＳＳＢを含むことであり、ＳＳＢがＲＭＳＩに関連付けられているかどうかの指示は、ＳＳＢがＲＭＳＩに関連付けられていることであり、ＳＳＢが同期信号ラスタ上にあるかどうかの情報は、ＳＳＢが同期信号ラスタ上にあることである。この時点で、第１のノードは、セルがＳＡセルとしての役割を果たし得ることを決定することができる。
（実施形態１６）
【０２２３】
本開示の実施形態１６は、情報を入手する方法を提供し、方法は、ｇＮＢに適用されることができる。図１３に示されるように、方法は、下で説明されるステップを含む。
【０２２４】
ステップ１２０１において、ｇＮＢ８が、ｇＮＢ９によって伝送される第１のメッセージを受信する。
【０２２５】
第１のメッセージは、ＸｎインターフェースのＸＮ設定要求、ＸＮ設定応答、ＮＧ−ＲＡＮノード構成更新、またはＮＧ−ＲＡＮノード構成更新確認応答であり得る。
【０２２６】
第１のメッセージは、ｇＮＢ９の広帯域キャリアに関連し、１つ以上のセルが、ｇＮＢ９の下に含まれる。複数のセルが、ｇＮＢ９の下に含まれるとき、複数のセルは、同一の広帯域キャリアに属し得るか、または、複数のセルは、異なる広帯域キャリアに属し得る。
【０２２７】
第１のメッセージは、ｇＮＢ９の下の１つ以上のセルについての情報を搬送し、各セルについての情報は、ＮＣＧＩと、１つ以上の物理的セルについての情報とを含む。各物理的セルについての情報は、ＰＣＩと、周波数点情報と、帯域幅と、物理的セルがＳＳＢを含むかどうかの情報（例えば、ＳＭＴＣが含まれるかどうかによって表され得、ＳＭＴＣが含まれる場合、ＳＳＢが、含まれ、ＳＭＴＣが含まれない場合、ＳＳＢは、含まれない）と、ＳＳＢがＲＭＳＩに関連付けられているかどうかの指示と、ＳＳＢが同期信号ラスタ上にあるかどうかの情報とを含む。
【０２２８】
ステップＳ１２０２において、ｇＮＢ８は、第１のメッセージからｇＮＢ９の下のセルについての情報を入手する。
【０２２９】
ｇＮＢ８によって入手されるセルについての情報は、ＮＣＧＩ、および１つ以上の物理的セルについての情報である。各物理的セルについての情報は、ＰＣＩと、周波数点情報と、帯域幅と、物理的セルがＳＳＢを含むかどうかの情報と、ＳＳＢがＲＭＳＩに関連付けられているかどうかの指示と、ＳＳＢが同期信号ラスタ上にあるかどうかの情報とを含む。
【０２３０】
ステップＳ１２０２後、ｇＮＢ８は、セルについての入手された情報に従って、セルに従属する物理的セルのタイプを決定する。
【０２３１】
実施形態１６のある場合、ｇＮＢ８は、セルについての情報を入手し、セルについての情報は、ＮＣＧＩと、複数の物理的セルについての情報とを含む。この時点で、ある場合は、セルが広帯域キャリアに属し、複数の物理的セルを含むことを示す。各物理的セルについての情報は、ＰＣＩと、周波数点情報と、帯域幅と、物理的セルがＳＳＢを含むかどうかの情報と、ＳＳＢがＲＭＳＩに関連付けられているかどうかの指示と、ＳＳＢが同期信号ラスタ上にあるかどうかの情報とを含む。セルの下の端末が、アイドル状態であるとき、複数の物理的セルのうちの１つについての情報が、物理的セルがＳＳＢを含み、ＳＳＢがＲＭＳＩに関連付けられており、ＳＳＢが同期信号ラスタ上にあることを含む場合、物理的セルは、ＳＡセルとしての役割を果たすことができ、そうでなければ、物理的セルは、ＮＳＡセルのみとしての役割を果たすことができる。セルの下の端末が、接続状態であるとき、複数の物理的セルのうちの１つについての情報が、物理的セルがＳＳＢを含み、ＳＳＢがＲＭＳＩに関連付けられており、ＳＳＢが同期信号ラスタ上にあることを含む場合、物理的セルは、Ｐセルとしての役割を果たすことができ、そうでなければ、物理的セルがＳＳＢを含む場合、物理的セルは、Ｐｓセルとしての役割を果たすことができ、物理的セルがＳＳＢを含まない場合、物理的セルは、Ｓセルのみとしての役割を果たすことができる。
【０２３２】
実施形態１６のある場合、ｇＮＢ９は、１つのセルについての情報を入手し、１つのセルについての情報は、ＮＣＧＩと、１つの物理的セルについての情報とを含む。この時点で、ある場合は、セルが共通キャリアに属し、１つの物理的セルを含むことを示す。セルが複数の物理的セルを含む場合、セルについての情報は、ＮＣＧＩおよび１つの物理的セルについての情報のみを含み得る（例えば、第１のメッセージ内で搬送されるセルについての情報は、ＮＣＧＩおよびセルに従属する複数の物理的セルの中の１つの物理的セルについての情報のみを含む）ことに留意されたい。この時点で、セルは、広帯域キャリアに属する。セルについての情報が、１つの物理的セルについての情報を含むとき、セルが共通キャリアに属するか、広帯域キャリアに属するかを区別することができないことを回避するために、セルが複数の物理的セルを含むとき、第１のメッセージによって搬送されるセルについての情報が、複数の物理的セルについての情報を含まなければならず、１つの物理的セルについての情報のみを含み得ないことを規定する必要がある。規定の下で、セルについての情報が、１つの物理的セルについての情報を含むとき、セルが共通キャリアに属し、１つの物理的セルを含むことを示す。
（実施形態１７）
【０２３３】
本開示の実施形態１７は、情報を入手する方法を提供し、方法は、ｅＮＢに適用されることができる。図１４に示されるように、方法は、下で説明されるステップを含む。
【０２３４】
ステップ１３０１において、ｅＮＢ２が、ｇＮＢ１０によって伝送される第１のメッセージを受信する。
【０２３５】
第１のメッセージは、ＥＮ−ＤＣ  Ｘ２インターフェースのＥＮ−ＤＣ  Ｘ２設定要求、ＥＮ−ＤＣ  Ｘ２設定応答、ＥＮ−ＤＣ構成更新、またはＥＮ−ＤＣ構成更新確認応答であり得る。
【０２３６】
第１のメッセージは、ｇＮＢ１０の広帯域キャリアに関連し、１つ以上のセルが、ｇＮＢ１０の下に含まれる。複数のセルが、ｇＮＢ１０の下に含まれるとき、複数のセルは、同一の広帯域キャリアに属し得るか、または、複数のセルは、異なる広帯域キャリアに属し得る。
【０２３７】
第１のメッセージは、ｇＮＢ１０の下の１つ以上のセルについての情報を搬送し、各セルについての情報は、ＮＣＧＩと、１つ以上の物理的セルについての情報と、セルが広帯域キャリアに属するかどうかの情報とを含む。各物理的セルについての情報は、ＰＣＩと、周波数点情報と、帯域幅と、物理的セルがＳＳＢを含むかどうかの情報（例えば、ＳＭＴＣが含まれるかどうかによって表され得、ＳＭＴＣが含まれる場合、ＳＳＢが、含まれ、ＳＭＴＣが含まれない場合、ＳＳＢは、含まれない）と、ＳＳＢがＲＭＳＩに関連付けられているかどうかの指示と、ＳＳＢが同期信号ラスタ上にあるかどうかの情報とを含む。
【０２３８】
ステップＳ１３０２において、ｅＮＢ２は、第１のメッセージからｇＮＢ１０の下のセルについての情報を入手する。
【０２３９】
ｅＮＢ２によって入手されるセルについての情報は、ＮＣＧＩ、１つ以上の物理的セルについての情報、およびセルが広帯域キャリアに属するかどうかの情報である。各物理的セルについての情報は、ＰＣＩと、周波数点情報と、帯域幅と、物理的セルがＳＳＢを含むかどうかの情報と、ＳＳＢがＲＭＳＩに関連付けられているかどうかの指示と、ＳＳＢが同期信号ラスタ上にあるかどうかの情報とを含む。
【０２４０】
ステップＳ１３０２後、ｅＮＢ２は、セルについての入手された情報に従って、セルに従属する物理的セルのタイプを決定する。
【０２４１】
実施形態１７のある場合、ｅＮＢ２は、セルについての情報を入手し、セルについての情報は、ＮＣＧＩと、複数の物理的セルについての情報と、セルが広帯域キャリアに属するという情報とを含む。この時点で、ある場合は、セルが広帯域キャリアに属し、複数の物理的セルを含むことを示す。各物理的セルについての情報は、ＰＣＩと、周波数点情報と、帯域幅と、物理的セルがＳＳＢを含むかどうかの情報と、ＳＳＢがＲＭＳＩに関連付けられているかどうかの指示と、ＳＳＢが同期信号ラスタ上にあるかどうかの情報とを含む。セルの下の端末が、アイドル状態であるとき、ある物理的セルについての情報が、物理的セルがＳＳＢを含み、ＳＳＢがＲＭＳＩに関連付けられており、ＳＳＢが同期信号ラスタ上にあることを含む場合、物理的セルは、ＳＡセルとしての役割を果たすことができ、そうでなければ、物理的セルは、ＮＳＡセルのみとしての役割を果たすことができる。セルの下の端末が、接続状態であるとき、ある物理的セルについての情報が、物理的セルがＳＳＢを含み、ＳＳＢがＲＭＳＩに関連付けられており、ＳＳＢが同期信号ラスタ上にあることを含む場合、物理的セルは、Ｐセルとしての役割を果たすことができ、そうでなければ、物理的セルがＳＳＢを含む場合、物理的セルは、Ｐｓセルとしての役割を果たすことができ、物理的セルがＳＳＢを含まない場合、物理的セルは、Ｓセルのみとしての役割を果たすことができる。
【０２４２】
実施形態１７のある場合、ｅＮＢ２は、セルについての情報を入手し、セルについての情報は、ＮＣＧＩと、１つの物理的セルについての情報と、セルが広帯域キャリアに属しないという情報を含む。この時点で、ある場合は、セルが共通キャリアに属し、複数の物理的セルを含むことを示す。
（実施形態１８）
【０２４３】
本開示の実施形態１８は、情報を入手する方法を提供し、方法は、ＣＵに適用されることができる。図１５に示されるように、方法は、下で説明されるステップを含む。
【０２４４】
ステップ１４０１において、ＣＵ３が、ＤＵ３によって伝送される第１のメッセージを受信する。
【０２４５】
第１のメッセージは、Ｆ１インターフェースのＦ１設定要求、ＧＮＢ−ＤＵ構成更新、およびＧＮＢ−ＣＵ構成更新確認応答であり得る。
【０２４６】
第１のメッセージは、ＤＵ３の広帯域キャリアに関連し、１つ以上のセルが、ＤＵ３の下に含まれる。複数のセルが、ＤＵ３の下に含まれるとき、複数のセルは、同一の広帯域キャリアに属し得るか、または、複数のセルは、異なる広帯域キャリアに属し得る。
【０２４７】
第１のメッセージは、ＤＵ３の下の１つ以上のセルについての情報を搬送し、各セルについての情報は、ＮＣＧＩと、セルが広帯域キャリアに属するかどうかの情報と、ＰＣＩと、周波数点情報と、帯域幅と、セルがＳＳＢを含むかどうかの情報（例えば、ＳＭＴＣが含まれるかどうかによって表され得、ＳＭＴＣが含まれる場合、ＳＳＢが、含まれ、ＳＭＴＣが含まれない場合、ＳＳＢは、含まれない）と、ＳＳＢがＲＭＳＩに関連付けられているかどうかの指示と、ＳＳＢが同期信号ラスタ上にあるかどうかの情報とを含む。
【０２４８】
ステップＳ１４０２において、ＣＵ３は、第１のメッセージからＤＵ３の下のセルについての情報を入手する。
【０２４９】
ＣＵ３によって入手されるセルについての情報は、ＮＣＧＩ、セルが広帯域キャリアに属するかどうかの情報、ＰＣＩ、周波数点情報、帯域幅、セルがＳＳＢを含むかどうかの情報、ＳＳＢがＲＭＳＩに関連付けられているかどうかの指示、およびＳＳＢが同期信号ラスタ上にあるかどうかの情報である。
【０２５０】
ステップＳ１４０２後、ＣＵ３は、セルについての入手された情報に従って、セルのタイプを決定する。
【０２５１】
実施形態４のある場合、ＣＵ３は、１つのセルについての情報を入手し、セルについての情報は、ＮＣＧＩと、セルが広帯域キャリアに属するという情報とを含む。この時点で、それは、セルが広帯域キャリアに属することを示す。セルについての情報は、ＰＣＩと、周波数点情報と、帯域幅と、セルがＳＳＢを含むかどうかの情報と、ＳＳＢがＲＭＳＩに関連付けられているかどうかの指示と、ＳＳＢが同期信号ラスタ上にあるかどうかの情報とをさらに含む。セルの下の端末が、アイドル状態であるとき、セルについての情報が、セルがＳＳＢを含み、ＳＳＢがＲＭＳＩに関連付けられており、ＳＳＢが同期信号ラスタ上にあることを含む場合、セルは、ＳＡセルとしての役割を果たすことができ、そうでなければ、セルは、ＮＳＡセルのみとしての役割を果たすことができる。セルの下の端末が、接続状態であるとき、セルについての情報が、セルがＳＳＢを含み、ＳＳＢがＲＭＳＩに関連付けられており、ＳＳＢが同期信号ラスタ上にあることを含む場合、セルは、Ｐセルとしての役割を果たすことができ、そうでなければ、セルがＳＳＢを含む場合、セルは、Ｐｓセルとしての役割を果たすことができ、物理的セルがＳＳＢを含まない場合、セルは、Ｓセルのみとしての役割を果たすことができる。
（実施形態１９）
【０２５２】
本開示の実施形態１９は、情報を入手する方法を提供し、方法は、ｇＮＢに適用されることができる。図１６に示されるように、方法は、下で説明されるステップを含む。
【０２５３】
ステップ１５０１において、ｇＮＢ１１が、ｇＮＢ１２によって伝送される第１のメッセージを受信する。
【０２５４】
第１のメッセージは、ＸｎインターフェースのＸＮ設定要求、ＸＮ設定応答、ＮＧ−ＲＡＮノード構成更新、またはＮＧ−ＲＡＮノード構成更新確認応答であり得る。
【０２５５】
第１のメッセージは、ｇＮＢ１２の広帯域キャリアに関連し、１つ以上のセルが、ｇＮＢ１２の下に含まれる。複数のセルが、ｇＮＢ１２の下に含まれるとき、複数のセルは、同一の広帯域キャリアに属し得るか、または、複数のセルは、異なる広帯域キャリアに属し得る。
【０２５６】
第１のメッセージは、ｇＮＢ１２の下の１つ以上のセルについての情報を搬送し、各セルについての情報は、ＮＣＧＩと、セルが属する広帯域キャリアの広帯域キャリア識別子と、ＰＣＩと、周波数点情報と、帯域幅と、セルがＳＳＢを含むかどうかの情報（例えば、ＳＭＴＣが含まれるかどうかによって表され得、ＳＭＴＣが含まれる場合、ＳＳＢが、含まれ、ＳＭＴＣが含まれない場合、ＳＳＢは、含まれない）と、ＳＳＢがＲＭＳＩに関連付けられているかどうかの指示と、ＳＳＢが同期信号ラスタ上にあるかどうかの情報とを含む。
【０２５７】
ステップＳ１５０２において、ｇＮＢ１１は、第１のメッセージからｇＮＢ１２の下のセルについての情報を入手する。
【０２５８】
ｇＮＢ１１によって入手されるセルについての情報は、ＮＣＧＩ、セルが属する広帯域キャリアの広帯域キャリア識別子、ＰＣＩ、周波数点情報、帯域幅、セルがＳＳＢを含むかどうかの情報、ＳＳＢがＲＭＳＩに関連付けられているかどうかの指示、およびＳＳＢが同期信号ラスタ上にあるかどうかの情報である。
【０２５９】
ステップＳ１５０２後、ｇＮＢ１１は、セルについての入手された情報に従って、セルのタイプを決定する。
【０２６０】
実施形態１９のある場合、ｇＮＢ１１は、１つのセルについての情報を入手し、セルについての情報は、ＮＣＧＩと、セルが属する広帯域キャリアのセル広帯域キャリア識別子とを含む。この時点で、それは、セルが広帯域キャリアに属することを示す。セルについての情報は、ＰＣＩと、周波数点情報と、帯域幅と、セルがＳＳＢを含むかどうかの情報と、ＳＳＢがＲＭＳＩに関連付けられているかどうかの指示と、ＳＳＢが同期信号ラスタ上にあるかどうかの情報とをさらに含む。セルの下の端末が、アイドル状態であるとき、セルについての情報が、セルがＳＳＢを含み、ＳＳＢがＲＭＳＩに関連付けられており、ＳＳＢが同期信号ラスタ上にあることを含む場合、セルは、ＳＡセルとしての役割を果たすことができ、そうでなければ、セルは、ＮＳＡセルのみとしての役割を果たすことができる。セルの下の端末が、接続状態であるとき、セルについての情報が、セルがＳＳＢを含み、ＳＳＢがＲＭＳＩに関連付けられており、ＳＳＢが同期信号ラスタ上にあることを含む場合、セルは、Ｐセルとしての役割を果たすことができ、そうでなければ、セルがＳＳＢを含む場合、セルは、Ｐｓセルとしての役割を果たすことができ、物理的セルがＳＳＢを含まない場合、セルは、Ｓセルのみとしての役割を果たすことができる。
（実施形態２０）
【０２６１】
本開示の実施形態２０は、情報を入手する方法を提供し、方法は、ｇＮＢに適用されることができる。図１７に示されるように、方法は、下で説明されるステップを含む。
【０２６２】
ステップ１６０１において、ｇＮＢ１３が、ｇＮＢ１４によって伝送される第１のメッセージを受信する。
【０２６３】
第１のメッセージは、ＸｎインターフェースのＸＮ設定要求、ＸＮ設定応答、ＮＧ−ＲＡＮノード構成更新、またはＮＧ−ＲＡＮノード構成更新確認応答であり得る。
【０２６４】
第１のメッセージは、ｇＮＢ１４の広帯域キャリアに関連し、１つ以上のセルが、ｇＮＢ１４の下に含まれる。複数のセルが、ｇＮＢ１４の下に含まれるとき、複数のセルは、同一の広帯域キャリアに属し得るか、または、複数のセルは、異なる広帯域キャリアに属し得る。
【０２６５】
第１のメッセージは、ｇＮＢ１４の下の１つ以上のＡタイプセルについての情報を搬送し、各Ａタイプセルは、ＳＳＢを含み、ＳＳＢは、ＲＭＳＩに関連付けられている。各Ａタイプセルについての情報は、ＮＣＧＩと、セルが属する広帯域キャリアの広帯域キャリア識別子と、ＰＣＩと、周波数点情報と、帯域幅と、セルのＳＳＢが同期信号ラスタ上にあるかどうかの情報とを含む。
【０２６６】
第１のメッセージは、ｇＮＢ１４の下の１つ以上のＢタイプセルについての情報をさらに搬送し、各Ｂタイプセルは、ＳＳＢを含み、ＳＳＢは、ＲＭＳＩに関連付けられていない；または、各Ｂタイプセルは、ＳＳＢを含まない。各Ｂタイプセルについての情報は、セルが属する広帯域キャリアの広帯域キャリア識別子と、セルがＳＳＢを含むかどうかと、ＰＣＩと、周波数点情報と、帯域幅と、セル役割指示とを含む。
【０２６７】
ステップＳ１６０２において、ｇＮＢ１３は、第１のメッセージからｇＮＢ１４の下のセルについての情報を入手する。
【０２６８】
ｇＮＢ１３によって入手されるセルについての情報は、Ａタイプセルについての情報（ＮＣＧＩ、セルが属する広帯域キャリアの広帯域キャリア識別子、ＰＣＩ、周波数点情報、帯域幅、およびＳＳＢが同期信号ラスタ上にあるかどうかの情報を含む）と、Ｂタイプセルについての情報（セルが属する広帯域キャリアの広帯域キャリア識別子、セルがＳＳＢを含むかどうか、ＰＣＩ、周波数点情報、帯域幅、およびセル役割指示を含む）とである。
【０２６９】
ステップＳ１６０２後、ｇＮＢ１３は、セルについての入手された情報に従って、セルのタイプを決定する。
【０２７０】
実施形態２０のある場合、ｇＮＢ１３は、１つのＡタイプセルについての情報を入手し、セルについての情報は、ＮＣＧＩと、セルが属する広帯域キャリアの広帯域キャリア識別子と、ＰＣＩと、周波数点情報と、帯域幅と、セルのＳＳＢが同期信号ラスタ上にあるかどうかの情報とを含む。この時点で、それは、セルが広帯域キャリアに属することを示す。セルについての情報が、セルのＳＳＢが同期信号ラスタ上にあることを含む場合、セルは、ＳＡセルとしての役割を果たすことができ、セルについての情報が、セルのＳＳＢが同期信号ラスタ外にあることを含む場合、セルは、ＮＳＡセルのみとしての役割を果たすことができる。ｇＮＢ１３は、１つのＢタイプセルについての情報をさらに入手し、セルについての情報は、セルが属する広帯域キャリアの広帯域キャリア識別子と、ＰＣＩと、周波数点情報と、帯域幅と、セルがＳＳＢを含むかどうかと、セル役割指示とを含む。この時点で、それは、セルが広帯域キャリアに属することを示す。セルについての情報が、セルがＳＳＢを含むことを含む場合、それは、ＳＳＢがＲＭＳＩに関連付けられていないことを示し、次いで、セルは、Ｐｓセルとしての役割を果たすことができ、セルについての情報が、ＳＳＢを含まない場合、セルは、Ｓセルのみとしての役割を果たすことができる。
（実施形態２１）
【０２７１】
本開示の実施形態２１は、情報を入手する方法を提供し、方法は、ＤＵに適用されることができる。図１８に示されるように、方法は、下で説明されるステップを含む。
【０２７２】
ステップ１７０１において、ＤＵ４が、ＣＵ４によって伝送される第１のメッセージを受信する。
【０２７３】
第１のメッセージは、Ｆ１インターフェースのＦ１設定要求、ＧＮＢ−ＣＵ構成更新、およびＧＮＢ−ＣＵ構成更新確認応答であり得る。
【０２７４】
第１のメッセージは、ＣＵ４の広帯域キャリアに関連し、１つ以上のセルが、ＣＵ４の下に含まれる。複数のセルが、ＣＵ４の下に含まれるとき、複数のセルは、同一の広帯域キャリアに属し得るか、または、複数のセルは、異なる広帯域キャリアに属し得る。
【０２７５】
第１のメッセージは、ＣＵ４の下の１つ以上の広帯域キャリアについての情報を搬送し、各広帯域キャリアについての情報は、ＣＵ４の下の１つ以上のＡタイプセルについての情報と、ＣＵ４の下の１つ以上のＢタイプセルについての情報と、全てのセルが属する広帯域キャリアの広帯域キャリア識別子とを含む。
【０２７６】
各Ａタイプセルは、ＳＳＢを含み、ＳＳＢは、ＲＭＳＩに関連付けられている。各Ａタイプセルについての情報は、ＮＣＧＩと、ＰＣＩと、周波数点情報と、帯域幅と、セルのＳＳＢが同期信号ラスタ上にあるかどうかの情報とを含む。
【０２７７】
各Ｂタイプセルは、ＳＳＢを含み、ＳＳＢは、ＲＭＳＩに関連付けられていない；または、各Ｂタイプセルは、ＳＳＢを含まない。各Ｂタイプセルについての情報は、セルがＳＳＢを含むかどうかと、ＰＣＩと、周波数点情報と、帯域幅と、セル役割指示とを含む。
【０２７８】
ステップＳ１７０２において、ＤＵ４は、第１のメッセージからＣＵ４の下の広帯域キャリアについての情報を入手する。
【０２７９】
ＤＵ４によって入手される広帯域キャリアについての情報は、ＣＵ４の下の１つ以上のＡタイプセルについての情報、ＣＵ４の下の１つ以上のＢタイプセルについての情報、および全てのセルが属する広帯域キャリアの広帯域キャリア識別子である。
【０２８０】
ステップＳ１７０２後、ＤＵ４は、セルについての入手された情報に従って、セルのタイプを決定する。
【０２８１】
実施形態２１のある場合、ＤＵ４は、広帯域キャリアについての１つの情報を入手し、広帯域キャリアについての情報は、１つのＡタイプセルについての情報と、１つのＢタイプセルについての情報と、全てのセルが属する広帯域キャリアの広帯域キャリア識別子とを含む。この時点で、それは、ＡタイプセルおよびＢタイプセルの両方が広帯域キャリアに属することを示す。Ａタイプセルについての情報は、ＮＣＧＩと、ＰＣＩと、周波数点情報と、帯域幅と、セルのＳＳＢが同期信号ラスタ上にあるかどうかの情報とを含む。セルについての情報が、セルのＳＳＢが同期信号ラスタ上にあることを含む場合、セルは、ＳＡセルとしての役割を果たすことができ、セルについての情報が、セルのＳＳＢが同期信号ラスタ外にあることを含む場合、セルは、ＮＳＡセルのみとしての役割を果たすことができる。Ｂタイプセルについての情報は、ＰＣＩと、周波数点情報と、帯域幅と、セルがＳＳＢを含むかどうかと、セル役割指示とを含む。セルについての情報が、セルがＳＳＢを含むことを含む場合、それは、ＳＳＢがＲＭＳＩに関連付けられていないことを示し、次いで、セルは、Ｐｓセルとしての役割を果たすことができ、セルについての情報が、ＳＳＢを含まない場合、セルは、Ｓセルのみとしての役割を果たすことができる。
（実施形態２２）
【０２８２】
本開示の実施形態２２は、情報を入手するためのデバイスを提供し、デバイスは、第１のノードに適用されることができる。図１９に示されるように、デバイスは、第３の受信モジュール１８０１と、第３の入手モジュール１８０２とを含む。第３の受信モジュール８０１は、第１のノードが第２のノードによって伝送された第１のメッセージを受信するために使用され、第１のメッセージは、第２のノードの広帯域キャリアに関連する。第３の入手モジュール１８０２は、第１のノードが第１のメッセージから第２のノードの下のセルについての情報を入手するために使用される。
（実施形態２３）
【０２８３】
本開示の実施形態２３は、情報を入手するための装置を提供し、装置は、プロセッサと、プロセッサに結合されたメモリとを含む。メモリは、情報を入手するためのプログラムを記憶し、プログラムは、プロセッサ上で実行され、情報を入手するためのプログラムは、プロセッサによって実行されると、下で説明されるステップを実装する。
【０２８４】
ステップＳ１１０１において、第１のノードが、第２のノードによって伝送された第１のメッセージを受信し、第１のメッセージは、第２のノードの広帯域キャリアに関連する。
【０２８５】
ステップＳ１１０２において、第１のノードは、第１のメッセージから第２のノードの下のセルについての情報を入手する。
【０２８６】
実施形態２３のある場合、実施形態１５−２１におけるステップが、プロセッサがプログラムを実行すると、さらに実装されることができる。
（実施形態２４）
【０２８７】
実施形態１４は、情報を入手するためのプログラムを記憶しているコンピュータ記憶媒体を提供し、情報を入手するためのプログラムがプロセッサによって実行されると、以下のステップが、実装される。
【０２８８】
ステップＳ１１０１において、第１のノードが、第２のノードによって伝送された第１のメッセージを受信し、第１のメッセージは、第２のノードの広帯域キャリアに関連する。
【０２８９】
ステップＳ１１０２において、第１のノードは、第１のメッセージから第２のノードの下のセルについての情報を入手する。
【０２９０】
本実施形態において、上で述べられる記憶媒体は、限定ではないが、ＵＳＢフラッシュディスク、読み取り専用メモリ（ＲＯＭ）、ランダムアクセスメモリ（ＲＡＭ）、モバイルハードディスク、磁気ディスク、光ディスク、またはプログラムコードを記憶することが可能な別の媒体を含み得る。
【０２９１】
実施形態２４のある場合、実施形態１５−２１におけるステップが、プロセッサがプログラムを実行すると、さらに実装されることができる。
（実施形態２５）
【０２９２】
第２のノードが、第１のメッセージを第１のノードに伝送する。第１のメッセージは、セルについての１つまたは複数の情報を搬送する。セルについての各情報は、セル識別子（例えば、ＮＣＧＩ）と、物理的セルについての１つまたは複数の情報とを含む。物理的セルについての各情報は、ＰＣＩ、周波数点情報、帯域幅、ＳＳＢが含まれるかどうかの情報（例えば、ＳＭＴＣが含まれるかどうかによって表され得、ＳＭＴＣが含まれる場合、ＳＳＢが、含まれ、ＳＭＴＣが含まれない場合、ＳＳＢは、含まれない）、ＳＳＢがＲＭＳＩに関連付けられているかどうかの指示、ＳＳＢが同期信号ラスタ上にあるかどうかの指示（例えば、同期信号ラスタ上（オン同期）または同期信号ラスタ外（オフ同期））、またはセル役割指示のうちの少なくとも１つを含む。セルについての各情報はさらに、セルが広帯域キャリアセルであるかどうかの指示を含み得る。
【０２９３】
第１のノードは、第１のメッセージに従って、セルについての情報を入手する。例えば、セルについてのある情報が、物理的セルについての複数の情報を含むとき、それは、セルが広帯域キャリアであり、複数の物理的セルを含むことを示し、セルについてのある情報が、物理的セルについての１つの情報を含むとき、それは、セルが共通キャリアであり、１つの物理的セルのみを含むことを示し、または、セルについてのある情報が、セルが広帯域キャリアセルであるかどうかの指示を含むとき、セルが広帯域キャリアまたは共通キャリアセルであるかどうかは、指示に従って区別され、物理的セルについてのある情報が、ＳＳＢが含まれ、ＳＳＢがＲＭＳＩに関連付けられており、ＳＳＢが同期信号ラスタ上にあることを示す場合、対応する物理的セルは、ＳＡセルとしての役割を果たすことができ、そうでなければ、対応する物理的セルは、ＮＳＡセルのみとしての役割を果たすことができ、物理的セルについてのある情報が、ＳＳＢが含まれないことを示す場合、対応する物理的セルは、Ｓセルのみとしての役割を果たすことができる。
【０２９４】
周波数点情報は、ＳＳＢの中心周波数点、ＧＳＣＮ、またはセルが属する広帯域キャリアの基準点Ａの絶対周波数位置のうちの少なくとも１つを含む。
（実施形態２６）
【０２９５】
第２のノードが、第２のメッセージを第１のノードに伝送する。第２のメッセージは、セル識別子（例えば、ＮＣＧＩ）、およびＰＣＩまたは周波数点情報のうちの少なくとも１つを搬送する。
【０２９６】
第１のノードは、第２のメッセージに従って、セルについての情報を入手する。例えば、第１のノードは、ＰＣＩおよび周波数点情報に従って、対応するセルのアップリンク初期帯域幅部分およびダウンリンク初期ＢＷＰについての情報を入手する。アイドルまたは非アクティブＵＥが、ダウンリンク初期ＢＷＰ上でシステム情報およびページング情報を監視し、アイドルまたは非アクティブＵＥは、ダウンリンク初期ＢＷＰおよびアップリンク初期ＢＷＰ上でランダムアクセスを実施する。
【０２９７】
周波数点情報は、ＳＳＢの中心周波数点、ＧＳＣＮ、またはセルが属する広帯域キャリアの基準点Ａの絶対周波数位置のうちの少なくとも１つを含む。
（実施形態２７）
【０２９８】
第２のノードが、第２のメッセージを第１のノードに伝送する。第２のメッセージは、セル識別子（例えば、ＮＣＧＩ）、およびＰＣＩまたは周波数点情報のうちの少なくとも１つを搬送する。
【０２９９】
第１のノードは、第２のメッセージに従って、セルについての情報を入手する。例えば、第１のノードは、ＰＣＩおよび周波数点情報に従って、対応するセルのアップリンク初期帯域幅部分およびダウンリンク初期ＢＷＰについての情報を入手するが、第１のノードは、対応するダウンリンク初期ＢＷＰおよびアップリンク初期ＢＷＰが採用されることができないこと（負荷理由等）を考慮する。
【０３００】
第１のノードは、第３のメッセージを第２のノードに伝送する。第３のメッセージは、採用されない理由（例えば、対応するアップリンク初期帯域幅部分ＢＷＰおよびダウンリンク初期ＢＷＰが搬送されることができない）および／または推奨セルリストを搬送し、推奨セルリストの各項目は、セル識別子、ＰＣＩ、および周波数点情報のうちの少なくとも１つを含む。
【０３０１】
周波数点情報は、ＳＳＢの中心周波数点、ＧＳＣＮ、またはセルが属する広帯域キャリアの基準点Ａの絶対周波数位置のうちの少なくとも１つを含む。
（実施形態２８）
【０３０２】
第２のノードが、第１のメッセージを第１のノードに伝送する。第１のメッセージは、セルについての１つまたは複数の情報を搬送する。セルについての各情報は、セル識別子（例えば、ＮＣＧＩ）、ＰＣＩ、周波数点情報、帯域幅、セルが属する広帯域キャリアの広帯域キャリア識別子、ＳＳＢが含まれるかどうかの情報（例えば、ＳＭＴＣが含まれるかどうかによって表され得、ＳＭＴＣが含まれる場合、ＳＳＢが、含まれ、ＳＭＴＣが含まれない場合、ＳＳＢは、含まれない）、ＳＳＢがＲＭＳＩに関連付けられているかどうかの指示、ＳＳＢが同期信号ラスタ上にあるかどうかの指示（例えば、同期信号ラスタ上（オン同期）または同期信号ラスタ外（オフ同期））、セル役割指示、またはセルが広帯域キャリアに属するかどうかの情報のうちの少なくとも１つを含む。
【０３０３】
第１のノードは、第１のメッセージに従って、セルについての情報を入手する。例えば、セルについてのある情報が、セルが属する広帯域キャリアの広帯域キャリア識別子を含むとき、それは、セルが広帯域キャリアセルに属することを示し、またはセルについてのある情報が、セルが広帯域キャリアセルに属するかどうかの情報を含むとき、セルが広帯域キャリアに属するかどうかは、情報に従って区別され、セルについての情報が、ＳＳＢが含まれ、ＳＳＢがＲＭＳＩに関連付けられており、ＳＳＢが同期信号ラスタ上にあることを示す場合、対応する物理的セルは、ＳＡセルとしての役割を果たすことができ、そうでなければ、対応する物理的セルは、ＮＳＡセルのみとしての役割を果たすことができ；セルについての情報が、ＳＳＢが含まれないことを示す場合、対応するセルは、Ｓセルのみとしての役割を果たすことができる。
【０３０４】
周波数点情報は、ＳＳＢの中心周波数点、ＧＳＣＮ、またはセルが属する広帯域キャリアの基準点Ａの絶対周波数位置のうちの少なくとも１つを含む。
（実施形態２９）
【０３０５】
第２のノードは、第１のメッセージを第１のノードに伝送する。第１のメッセージは、セルについての１つまたは複数の情報（以降ではＡタイプセルについての情報と称される）を搬送し、セルは、ＳＳＢを含み、ＳＳＢは、ＲＭＳＩに関連付けられている。Ａタイプセルについての各情報は、セル識別子（例えば、ＮＣＧＩ）と、セルが属する広帯域キャリアの広帯域キャリア識別子と、ＰＣＩ、周波数点情報、帯域幅、ＳＳＢが同期信号ラスタ上にあるかどうかの指示（例えば、同期信号ラスタ上（オン同期）または同期信号ラスタ外（オフ同期））、またはセル役割指示のうちの少なくとも１つとを含む。第１のメッセージは、セルについての１つまたは複数の情報（以降ではＢタイプセルについての情報と称される）をさらに搬送し得、セルは、ＳＳＢを含み、ＳＳＢは、ＲＭＳＩに関連付けられないか、または、セルは、ＳＳＢを含まない。Ｂタイプセルについての各情報は、セルが属する広帯域キャリアの広帯域キャリア識別子と、ＰＣＩ、周波数点情報、帯域幅、ＳＳＢが含まれるかどうかの情報（例えば、ＳＭＴＣが含まれるかどうかによって表され得、ＳＭＴＣが含まれる場合、ＳＳＢが、含まれ、ＳＭＴＣが含まれない場合、ＳＳＢは、含まれない）、ＳＳＢが同期信号ラスタ上にあるかどうかの指示（例えば、同期信号ラスタ上（オン同期）または同期信号ラスタ外（オフ同期））、またはセル役割指示のうちの少なくとも１つとを含む。
【０３０６】
第１のノードは、第１のメッセージに従って、セルについての情報を入手する。例えば、Ａタイプセルについての情報が、ＳＳＢが同期信号ラスタ上にあることを示す場合、対応するセルは、ＳＡセルとしての役割を果たすことができ、そうでなければ、対応するセルは、ＮＳＡセルのみとしての役割を果たすことができ、Ｂタイプセルについての情報が、ＳＳＢが含まれることを示す場合、対応するセルは、Ｐｓセルとしての役割を果たすことができ、そうでなければ、対応するセルは、Ｓセルのみとしての役割を果たすことができる。
【０３０７】
周波数点情報は、ＳＳＢの中心周波数点、ＧＳＣＮ、またはセルが属する広帯域キャリアの基準点Ａの絶対周波数位置のうちの少なくとも１つを含む。
（実施形態３０）
【０３０８】
第２のノードは、第１のメッセージを第１のノードに伝送する。第１のメッセージは、広帯域キャリアについての１つまたは複数の情報を搬送する。広帯域キャリアについての各情報は、セルについての情報（以降ではＡタイプセルについての情報と称される）を含み、セルは、ＳＳＢを含み、ＳＳＢは、ＲＭＳＩに関連付けられている。Ａタイプセルについての各情報は、セル識別子（例えば、ＮＣＧＩ）と、ＰＣＩ、周波数点情報、帯域幅、ＳＳＢが同期信号ラスタ上にあるかどうかの指示（例えば、同期信号ラスタ上（オン同期）または同期信号ラスタ外（オフ同期））、またはセル役割指示のうちの少なくとも１つとを含む。広帯域キャリアについての各情報は、セルについての１つまたは複数の情報（以降ではＢタイプセルについての情報と称される）をさらに含み得、セルは、ＳＳＢを含み、ＳＳＢは、ＲＭＳＩに関連付けられないか、または、セルは、ＳＳＢを含まない。Ｂタイプセルについての各情報は、ＰＣＩ、周波数点情報、帯域幅、ＳＳＢが含まれるかどうかの情報（例えば、ＳＭＴＣが含まれるかどうかによって表され得、ＳＭＴＣが含まれる場合、ＳＳＢが、含まれ、ＳＭＴＣが含まれない場合、ＳＳＢは、含まれない）、ＳＳＢが同期信号ラスタ上にあるかどうかの指示（例えば、同期信号ラスタ上（オン同期）または同期信号ラスタ外（オフ同期））、またはセル役割指示のうちの少なくとも１つを含む。
【０３０９】
第１のノードは、第１のメッセージに従って、セルについての情報を入手する。例えば、Ａタイプセルについての情報が、ＳＳＢが同期信号ラスタ上にあることを示す場合、対応するセルは、ＳＡセルとしての役割を果たすことができ、そうでなければ、対応するセルは、ＮＳＡセルのみとしての役割を果たすことができ、Ｂタイプセルについての情報が、ＳＳＢが含まれることを示す場合、対応するセルは、Ｐｓセルとしての役割を果たすことができ、そうでなければ、対応するセルは、Ｓセルのみとしての役割を果たすことができる。
【０３１０】
周波数点情報は、ＳＳＢの中心周波数点、ＧＳＣＮ、またはセルが属する広帯域キャリアの基準点Ａの絶対周波数位置のうちの少なくとも１つを含む。
（実施形態３１）
【０３１１】
ＳＮ（例えば、ｇＮＢ２）が、第１１のメッセージをＭＮ（例えば、ｇＮＢ１）に伝送し、第１１のメッセージは、１つ以上の未知のＰＣＩを搬送する。未知のＰＣＩは、ＰＣＩに対応するセル識別子（例えば、ＮＣＧＩ）がローカルで見出されることができないことを指す。
【０３１２】
第１１のメッセージを受信した後、ＭＮは、下で説明される方法のうちの少なくとも１つを通して、第１１のメッセージ内で搬送される未知のＰＣＩに対応するセルについての情報を入手する。ＭＮは、ローカルで第１１のメッセージ内で搬送される未知のＰＣＩに対応するセル識別子を検索し、対応するセルについての情報を直接入手する。ＭＮは、Ｕｕインターフェースを通して、未知のＰＣＩに関連するシステム情報を読み取り、第１１のメッセージ内で搬送される未知のＰＣＩに対応するセルについての情報を入手するように、選択されたＵＥに命令する。
【０３１３】
ＭＮは、第１２のメッセージをＳＮに伝送し、第１２のメッセージは、入手された第１１のメッセージ内で搬送される未知のＰＣＩに対応するセルおよびその対応するＰＣＩについての１つまたは複数の情報を搬送する。
【０３１４】
第１１のメッセージおよび第１２のメッセージは、Ｘｎインターフェースの既存のメッセージまたは新しいメッセージである。
【０３１５】
セルについての情報は、セル識別子と、セルに対応する公衆陸上移動体ネットワーク（ＰＬＭＮ）リスト、帯域リスト、追跡エリアコード（ＴＡＣ）、ＲＡＮエリアコード（ＲＡＮＡＣ）、周波数点情報、帯域幅、セルが属する広帯域キャリアの広帯域キャリア識別子、ＳＳＢが含まれるかどうかの情報（例えば、ＳＭＴＣが含まれるかどうかによって表され得、ＳＭＴＣが含まれる場合、ＳＳＢが、含まれ、ＳＭＴＣが含まれない場合、ＳＳＢは、含まれない）、ＳＳＢがＲＭＳＩに関連付けられているかどうかの指示、ＳＳＢが同期信号ラスタ上にあるかどうかの指示（同期信号ラスタ上（オン同期）または同期信号ラスタ外（オフ同期））、セル役割指示、またはセルが広帯域キャリアに属するかどうかの情報のうちの少なくとも１つとを含む。
【０３１６】
第１１のメッセージをトリガするための条件は、ＳＮによって受信されるＵＥ測定レポートが未知のＰＣＩを搬送することであり得る。
（実施形態３２）
【０３１７】
ＳＮ（例えば、ｇＮＢ２）が、第２１のメッセージをＭＮ（例えば、ｅＮＢ１）に伝送し、第２１のメッセージは、１つ以上の未知のＰＣＩを搬送する。未知のＰＣＩは、ＰＣＩに対応するセル識別子（例えば、ＮＣＧＩ）がローカルで見出されることができないことを指す。
【０３１８】
第２１のメッセージを受信した後、ＭＮは、下で説明される方法のうちの少なくとも１つを通して、第２１のメッセージ内で搬送される未知のＰＣＩに対応するセルについての情報を入手する。ＭＮは、ローカルで第２１のメッセージ内で搬送される未知のＰＣＩに対応するセル識別子を検索し、対応するセルについての情報を直接入手する。ＭＮは、Ｕｕインターフェースを通して、未知のＰＣＩに関連するシステム情報を読み取り、第２１のメッセージ内で搬送される未知のＰＣＩに対応するセルについての情報を入手するように、選択されたＵＥに命令する。
【０３１９】
ＭＮは、第２２のメッセージをＳＮに伝送し、第２２のメッセージは、入手された第２１のメッセージ内で搬送される未知のＰＣＩに対応するセルおよびその対応するＰＣＩについての１つまたは複数の情報を搬送する。
【０３２０】
第２１のメッセージおよび第２２のメッセージは、ＥＮ−ＤＣ  Ｘ２インターフェースの既存のメッセージまたは新しいメッセージである。
【０３２１】
セルについての情報は、セル識別子と、セルに対応するＰＬＭＮリスト、帯域リスト、ＴＡＣ、ＲＡＮＡＣ、周波数点情報、帯域幅、セルが属する広帯域キャリアの広帯域キャリア識別子、ＳＳＢが含まれるかどうかの情報（例えば、ＳＭＴＣが含まれるかどうかによって表され得、ＳＭＴＣが含まれる場合、ＳＳＢが、含まれ、ＳＭＴＣが含まれない場合、ＳＳＢは、含まれない）、ＳＳＢがＲＭＳＩに関連付けられているかどうかの指示、ＳＳＢが同期信号ラスタ上にあるかどうかの指示（例えば、同期信号ラスタ上（オン同期）または同期信号ラスタ外（オフ同期））、セル役割指示、またはセルが広帯域キャリアに属するかどうかの情報のうちの少なくとも１つとを含む。
【０３２２】
第２１のメッセージをトリガするための条件は、ＳＮによって受信されるＵＥ測定レポートが未知のＰＣＩを搬送することであり得る。
（実施形態３３）
【０３２３】
ＤＵが、第３１のメッセージをＣＵに伝送し、第３１のメッセージは、１つ以上の未知のＰＣＩを搬送する。未知のＰＣＩは、ＰＣＩに対応するセル識別子（例えば、ＮＣＧＩ）がローカルで見出されることができないことを指す。
【０３２４】
第３１のメッセージを受信した後、ＣＵは、下で説明される方法のうちの少なくとも１つを通して、第３１のメッセージ内で搬送される未知のＰＣＩに対応するセルについての情報を入手する。ＣＵは、ローカルで第３１のメッセージ内で搬送される未知のＰＣＩに対応するセル識別子を検索し、対応するセルについての情報を直接入手する。ＣＵは、Ｆ１インターフェースを通して、ＣＵの下の他のＤＵへの要求を開始し、第３１のメッセージ内で搬送される未知のＰＣＩに対応するセルについての情報を入手する。
【０３２５】
ＣＵは、第３２のメッセージをＤＵに伝送し、第３２のメッセージは、入手された第３１のメッセージ内で搬送される未知のＰＣＩに対応するセルおよびその対応するＰＣＩについての１つまたは複数の情報を搬送する。
【０３２６】
第３１のメッセージおよび第３２のメッセージは、Ｆ１インターフェースの既存のメッセージまたは新しいメッセージである。
【０３２７】
セルについての情報は、セル識別子と、セルに対応するＰＬＭＮリスト、帯域リスト、ＴＡＣ、ＲＡＮＡＣ、周波数点情報、帯域幅、セルが属する広帯域キャリアの広帯域キャリア識別子、ＳＳＢが含まれるかどうかの情報（例えば、ＳＭＴＣが含まれるかどうかによって表され得、ＳＭＴＣが含まれる場合、ＳＳＢが、含まれ、ＳＭＴＣが含まれない場合、ＳＳＢは、含まれない）、ＳＳＢがＲＭＳＩに関連付けられているかどうかの指示、ＳＳＢが同期信号ラスタ上にあるかどうかの指示（例えば、同期信号ラスタ上（オン同期）または同期信号ラスタ外（オフ同期））、セル役割指示、またはセルが広帯域キャリアに属するかどうかの情報のうちの少なくとも１つとを含む。
【０３２８】
第３１のメッセージをトリガするための条件は、ＤＵによって受信されるＵＥ測定レポートが未知のＰＣＩを搬送すること、またはＣＵからのＤＵによって受信されるメッセージが未知のＰＣＩを搬送することであり得る。
（実施形態３４）
【０３２９】
ＣＵが、第４１のメッセージをＤＵに伝送し、第４１のメッセージは、１つ以上の未知のＰＣＩを搬送する。未知のＰＣＩは、ＰＣＩに対応するセル識別子（例えば、ＮＣＧＩ）がローカルで見出されることができないことを指す。
【０３３０】
第４１のメッセージを受信した後、ＤＵは、下で説明される方法のうちの少なくとも１つを通して、第４１のメッセージ内で搬送される未知のＰＣＩに対応するセルについての情報を入手する。ＤＵは、ローカルで第４１のメッセージ内で搬送される未知のＰＣＩに対応するセル識別子を検索し、対応するセルについての情報を直接入手する。ＤＵは、Ｕｕインターフェースを通して、未知のＰＣＩに関連するシステム情報を読み取り、第４１のメッセージ内で搬送される未知のＰＣＩに対応するセルについての情報を入手するように、選択されたＵＥに命令する。
【０３３１】
ＤＵは、第４２のメッセージをＣＵに伝送し、第４２のメッセージは、入手された第４１のメッセージ内で搬送される未知のＰＣＩに対応するセルおよびその対応するＰＣＩについての１つまたは複数の情報を搬送する。
【０３３２】
第４１のメッセージおよび第４２のメッセージは、Ｆ１インターフェースの既存のメッセージまたは新しいメッセージである。
【０３３３】
セルについての情報は、セル識別子と、セルに対応するＰＬＭＮリスト、帯域リスト、ＴＡＣ、ＲＡＮＡＣ、周波数点情報、帯域幅、セルが属する広帯域キャリアの広帯域キャリア識別子、ＳＳＢが含まれるかどうかの情報（例えば、ＳＭＴＣが含まれるかどうかによって表され得、ＳＭＴＣが含まれる場合、ＳＳＢが、含まれ、ＳＭＴＣが含まれない場合、ＳＳＢは、含まれない）、ＳＳＢがＲＭＳＩに関連付けられているかどうかの指示、ＳＳＢが同期信号ラスタ上にあるかどうかの指示（例えば、同期信号ラスタ上（オン同期）または同期信号ラスタ外（オフ同期））、セル役割指示、またはセルが広帯域キャリアに属するかどうかの情報のうちの少なくとも１つとを含む。
【０３３４】
第４１のメッセージをトリガするための条件は、ＤＵからのＣＵによって受信されるメッセージが未知のＰＣＩを搬送すること、または他のＣＵからのＣＵによって受信されるメッセージが未知のＰＣＩを搬送すること、または他の基地局（例えば、ｇＮＢまたはｅＮＢ）からのＣＵによって受信されるメッセージが未知のＰＣＩを搬送することであり得る。
（実施形態３５）
【０３３５】
ＳＮのＤＵ（例えば、ＤＵ２）が、第５１のメッセージをＳＮのＣＵ（例えば、ＣＵ２）に伝送し、第５１のメッセージは、１つ以上の未知のＰＣＩを搬送する。未知のＰＣＩは、ＰＣＩに対応するセル識別子（例えば、ＮＣＧＩ）がローカルで見出されることができないことを指す。
【０３３６】
ＣＵ２が第５１のメッセージを受信した後、ＣＵ２は、ローカルで第５１のメッセージ内で搬送される未知のＰＣＩに対応するセル識別子を見出さず、ＣＵ２は、第５２のメッセージをＭＮに伝送する。
【０３３７】
第５２のメッセージを受信した後、ＭＮは、下で説明される方法のうちの少なくとも１つを通して、第５２のメッセージ内で搬送される未知のＰＣＩに対応するセルについての情報を入手する。ＭＮは、ローカルで第５２のメッセージ内で搬送される未知のＰＣＩに対応するセル識別子を検索し、対応するセルについての情報を直接入手する。ＭＮは、Ｕｕインターフェースを通して、未知のＰＣＩに関連するシステム情報を読み取り、第５２のメッセージ内で搬送される未知のＰＣＩに対応するセルについての情報を入手するように、選択されたＵＥに命令する。
【０３３８】
ＭＮは、第５３のメッセージをＣＵ２に伝送し、第５３のメッセージは、入手された第５２のメッセージ内で搬送される未知のＰＣＩに対応するセルおよびその対応するＰＣＩについての１つまたは複数の情報を搬送する。
【０３３９】
ＣＵ２は、第５４のメッセージをＤＵ２に伝送し、第５４のメッセージは、入手された第５１のメッセージ内で搬送される未知のＰＣＩに対応するセルおよびその対応するＰＣＩについての１つまたは複数の情報を搬送する。
【０３４０】
第５１のメッセージおよび第５４のメッセージは、Ｆ１インターフェースの既存のメッセージまたは新しいメッセージである。
【０３４１】
第５２のメッセージおよび第５３のメッセージは、ＥＮ−ＤＣ  Ｘ２インターフェースまたはＸｎインターフェースの既存のメッセージまたは新しいメッセージである。
【０３４２】
セルについての情報は、セル識別子と、セルに対応するＰＬＭＮリスト、帯域リスト、ＴＡＣ、ＲＡＮＡＣ、周波数点情報、帯域幅、セルが属する広帯域キャリアの広帯域キャリア識別子、ＳＳＢが含まれるかどうかの情報（例えば、ＳＭＴＣが含まれるかどうかによって表され得、ＳＭＴＣが含まれる場合、ＳＳＢが、含まれ、ＳＭＴＣが含まれない場合、ＳＳＢは、含まれない）、ＳＳＢがＲＭＳＩに関連付けられているかどうかの指示、ＳＳＢが同期信号ラスタ上にあるかどうかの指示（例えば、同期信号ラスタ上（オン同期）または同期信号ラスタ外（オフ同期））、セル役割指示、またはセルが広帯域キャリアに属するかどうかの情報のうちの少なくとも１つとを含む。
【０３４３】
第５１のメッセージをトリガするための条件は、ＤＵ２によって受信されるＵＥ測定レポートが未知のＰＣＩを搬送すること、またはＣＵ２からのＤＵ２によって受信されるメッセージが未知のＰＣＩを搬送することであり得る。
【０３４４】
明白なこととして、本願の上で述べられるモジュールまたはステップの各々は、汎用コンピューティングデバイスによって実装され得、モジュールまたはステップは、単一のコンピューティングデバイス上に集中し、または複数のコンピューティングデバイスから成るネットワーク上に分散され得、随意に、モジュールまたはステップは、モジュールまたはステップが記憶デバイスによって記憶され、コンピューティングデバイスによって実行され得るように、コンピューティングデバイスによって実行可能なプログラムコードによって実装され得ることが、当業者によって理解されるはずである。いくつかの状況において、図示または説明されるステップは、本明細書に説明されるものと異なる順序で実行され得るか、または、モジュールまたはステップは、別個に種々の集積回路モジュールの中に作製され得るか、または、複数のモジュールまたはその中のステップは、実装のために単一の集積回路モジュールの中に作製され得る。このように、本願は、ハードウェアおよびソフトウェアのいずれの特定の組み合わせにも限定されない。
【０３４５】
本願によって開示される実施形態は、上で説明される通りであるが、その内容は、本願の理解を測定するための実施形態にすぎず、本願を限定することを意図していない。本願が関連する技術分野の任意の当業者は、本願によって開示される精神および範囲から逸脱することなく、実装形態および詳細に任意の修正および変動を行い得るが、本願の特許保護範囲は、依然として、添付の請求項によって定義される範囲による。
【図１】
2021523614.tif 000003
【図２】
2021523614.tif 000004
【図３】
2021523614.tif 000005
【図４】
2021523614.tif 000006
【図５】
2021523614.tif 000007
【図６】
2021523614.tif 000008
【図７】
2021523614.tif 000009
【図８】
2021523614.tif 000010
【図９】
2021523614.tif 000011
【図１０】
2021523614.tif 000012
【図１１】
2021523614.tif 000013
【図１２】
2021523614.tif 000014
【図１３】
2021523614.tif 000015
【図１４】
2021523614.tif 000016
【図１５】
2021523614.tif 000017
【図１６】
2021523614.tif 000018
【図１７】
2021523614.tif 000019
【図１８】
2021523614.tif 000020
【図１９】
2021523614.tif 000021
【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
方法であって、前記方法は、
二次ノード（ＳＮ）によって、マスタノード（ＭＮ）に第１のメッセージを伝送することであって、前記第１のメッセージは、セルの物理的セル識別子（ＰＣＩ）を含み、前記ＰＣＩは、前記ＳＮにおいて見出されないセルグローバル識別子（ＣＧＩ）に関連付けられている、ことと、
前記ＳＮによって、前記ＭＮから第２のメッセージを受信することと
を含み、
前記第２のメッセージは、（ｉ）前記セルについての情報と、（ｉｉ）前記セルの前記ＰＣＩとを含む、方法。
【請求項２】
前記ＭＮは、Ｕｕインターフェースを通して、システム情報を読み取り、前記セルについての前記情報を入手するようにユーザ機器（ＵＥ）に命令する、請求項１に記載の方法。
【請求項３】
前記セルについての前記情報は、前記セルに対応する公衆陸上移動体ネットワーク（ＰＬＭＮ）リスト、帯域リスト、追跡エリアコード（ＴＡＣ）、無線アクセスネットワーク（ＲＡＮ）エリアコード（ＲＡＮＡＣ）、周波数情報、または同期信号および物理的ブロードキャストチャネルブロック（ＳＳＢ）が残留最小システム情報（ＲＭＳＩ）に関連付けられているかどうかの指示のうちの少なくとも１つを含む、請求項１に記載の方法。
【請求項４】
前記セルについての前記情報は、セル識別子を含む、請求項１に記載の方法。
【請求項５】
前記ＳＮは、前記ＰＣＩを含むユーザ機器（ＵＥ）の測定レポートを受信することに応答して、前記第１のメッセージを伝送する、請求項１に記載の方法。
【請求項６】
方法であって、前記方法は、
マスタノード（ＭＮ）によって、二次ノード（ＳＮ）から第１のメッセージを受信することであって、前記第１のメッセージは、セルの物理的セル識別子（ＰＣＩ）を含み、前記ＰＣＩは、前記ＳＮにおいて見出されないセルグローバル識別子（ＣＧＩ）に関連付けられている、ことと、
前記ＭＮによって、前記ＳＮに第２のメッセージを伝送することと
を含み、
前記第２のメッセージは、（ｉ）前記セルについての情報と、（ｉｉ）前記セルの前記ＰＣＩとを含む、方法。
【請求項７】
前記ＭＮによって、Ｕｕインターフェースを通して、システム情報を読み取り、前記セルについての前記情報を入手するようにユーザ機器（ＵＥ）に命令することをさらに含む、請求項６に記載の方法。
【請求項８】
前記セルについての前記情報は、前記セルに対応する公衆陸上移動体ネットワーク（ＰＬＭＮ）リスト、帯域リスト、追跡エリアコード（ＴＡＣ）、無線アクセスネットワーク（ＲＡＮ）エリアコード（ＲＡＮＡＣ）、周波数情報、または同期信号および物理的ブロードキャストチャネルブロック（ＳＳＢ）が残留最小システム情報（ＲＭＳＩ）に関連付けられているかどうかの指示のうちの少なくとも１つを含む、請求項６に記載の方法。
【請求項９】
前記セルについての前記情報は、セル識別子を含む、請求項６に記載の方法。
【請求項１０】
前記第１のメッセージは、前記ＳＮが前記ＰＣＩを含むユーザ機器（ＵＥ）の測定レポートを受信することに応答して、前記ＳＮによって伝送される、請求項６に記載の方法。
【請求項１１】
命令を記憶しているコンピュータ読み取り可能な記憶媒体であって、前記命令は、１つ以上のプロセッサによって実行されると、請求項１−１０のいずれか１つの方法を前記１つ以上のプロセッサに実施させることが可能である、コンピュータ読み取り可能な記憶媒体。
【請求項１２】
請求項１−１０のいずれか１つの方法を実施するように構成された１つ以上のプロセッサを備えている装置。
【手続補正２】
【補正対象書類名】明細書
【補正対象項目名】００１０
【補正方法】変更
【補正の内容】
【００１０】
本開示の実施形態において、第１のノードは、第２のノードのセル群に関連し、第２のノードによって伝送された第１のメッセージを受信し、各セル群は、１つ以上のセルを含み、各セルは、同一の広帯域キャリアに属する。第１のノードは、第１のメッセージから第２のノードの下のセルについての情報、すなわち、各セル群の中のセルについての情報を入手する。上で述べられるソリューションを通して、第１のノードは、無線アクセスネットワーク（ＲＡＮ）のスループット率および無線リソースの利用の改良が、広帯域キャリアが導入された後、確実にされ得るように、第２のノードの下で広帯域キャリアに関して標的化するセルについての情報を入手し得る。
本発明はさらに、例えば、以下を提供する。
（項目１）
情報を入手する方法であって、前記方法は、
第１のノードによって、第２のノードによって伝送されたメッセージを受信することであって、前記メッセージは、前記第２のノードのセル群に関連し、前記セル群の中の各セルは、同一の広帯域キャリアに属する、ことと、
前記第１のノードによって、前記メッセージから前記第２のノードの下のセルについての情報を入手することと
を含む、方法。
（項目２）
前記メッセージは、前記第２のノードの下の１つ以上のセルについての情報を搬送し、前記セルのうちの各セルについての情報は、セル識別子と、１つ以上の物理的セルについての情報とを備え、または、
前記各セルについての前記情報は、セル識別と、１つ以上の物理的セルについての情報と、セルが前記セル群に属するかどうかの指示とを備え、
前記物理的セルのうちの各物理的セルについての情報は、
物理的セル識別子（ＰＣＩ）、周波数点情報、帯域幅、物理的セルが同期信号および物理的ブロードキャストチャネルブロック（ＳＳＢ）を備えているかどうかの情報、前記ＳＳＢが残留最小システム情報（ＲＭＳＩ）に関連付けられているかどうかの指示、前記ＳＳＢが同期信号ラスタ上にあるかどうかの情報、またはセル役割指示のうちの少なくとも１つを備えている、項目１に記載の情報を入手する方法。
（項目３）
前記メッセージは、１つ以上のセル群についての情報を搬送し、前記セル群のうちの各セル群についての情報は、前記第２のノードの下の１つ以上のセルについての情報と、セル群のセル群識別子とを備え、
前記各セルは、ＳＳＢを備え、前記ＳＳＢは、ＲＭＳＩに関連付けられており、
前記各セルについての情報は、セル識別子と、
ＰＣＩ、周波数点情報、帯域幅、前記各セルの前記ＳＳＢが同期信号ラスタ上にあるかどうかの情報、またはセル役割指示のうちの少なくとも１つとを備えている、項目１に記載の情報を入手する方法。
（項目４）
前記メッセージは、１つ以上のセル群についての情報を搬送し、前記セル群のうちの各セル群についての情報は、前記第２のノードの下の１つ以上のセルについての情報と、セル群のセル群識別子とを備え、
前記各セルは、ＳＳＢを備え、前記ＳＳＢは、ＲＭＳＩに関連付けられておらず、
前記各セルについての情報は、
ＰＣＩ、周波数点情報、帯域幅、前記各セルのＳＳＢが同期信号ラスタ上にあるかどうかの情報、またはセル役割指示のうちの少なくとも１つを備えている、項目１に記載の情報を入手する方法。
（項目５）
前記メッセージは、１つ以上のセル群についての情報を搬送し、前記セル群のうちの各セル群についての情報は、前記第２のノードの下の１つ以上のセルについての情報と、セル群のセル群識別子とを備え、
前記各セルは、ＳＳＢを備えておらず、
前記各セルについての情報は、
ＰＣＩ、周波数点情報、帯域幅、またはセル役割指示のうちの少なくとも１つを備えている、項目１に記載の情報を入手する方法。
（項目６）
情報を入手する方法であって、前記方法は、
第１のノードによって、第２のノードによって伝送されたメッセージを受信することを含み、前記メッセージは、前記第２のノードの下の１つ以上のセルについての情報を搬送し、前記セルのうちの各セルについての情報は、セル識別子を備え、
前記各セルについての情報は、
セルが属する広帯域キャリアの広帯域キャリア識別子、前記セルが前記広帯域キャリアに属するかどうかの情報、物理的セル識別子（ＰＣＩ）、周波数点情報、帯域幅、前記セルが同期信号および物理的ブロードキャストチャネルブロック（ＳＳＢ）を備えているかどうかの情報、前記ＳＳＢが残留最小システム情報（ＲＭＳＩ）に関連付けられているかどうかの指示、前記ＳＳＢが同期信号ラスタ上にあるかどうかの情報、またはセル役割指示のうちの少なくとも１つをさらに備えている、方法。
（項目７）
前記メッセージは、前記第２のノードの下の１つ以上のセルについての情報を搬送し、前記各セルは、前記ＳＳＢを備え、前記ＳＳＢは、ＲＭＳＩに関連付けられており、
前記各セルについての前記情報は、前記セル識別子と、前記セルが属する前記広帯域キャリアの広帯域キャリア識別子と、
前記ＰＣＩ、前記周波数点情報、前記帯域幅、前記セルの前記ＳＳＢが前記同期信号ラスタ上にあるかどうかの前記情報、または前記セル役割指示のうちの少なくとも１つと
を備えている、項目６に記載の情報を入手する方法。
（項目８）
前記メッセージは、前記第２のノードの下の１つ以上のセルについての情報を搬送し、前記各セルは、前記ＳＳＢを備え、前記ＳＳＢは、前記ＲＭＳＩに関連付けられておらず、
前記各セルについての前記情報は、前記セル識別子と、前記セルが属する前記広帯域キャリアの広帯域キャリア識別子と、
前記ＰＣＩ、前記周波数点情報、前記帯域幅、前記セルの前記ＳＳＢが前記同期信号ラスタ上にあるかどうかの前記情報、または前記セル役割指示のうちの少なくとも１つと
を備えている、項目６に記載の情報を入手する方法。
（項目９）
前記メッセージは、前記第２のノードの下の１つ以上のセルについての情報を搬送し、前記各セルは、ＳＳＢを備えておらず、
前記各セルについての前記情報は、前記セル識別子と、前記セルが属する前記広帯域キャリアの広帯域キャリア識別子と、
前記ＰＣＩ、前記周波数点情報、前記帯域幅、または前記セル役割指示のうちの少なくとも１つと
を備えている、項目６に記載の情報を入手する方法。
（項目１０）
前記セル識別子は、新規無線アクセスセルグローバル識別子（ＮＣＧＩ）を備えている、項目２、３、および６−９のいずれか１項に記載の情報を入手する方法。
（項目１１）
前記第２のノードの下のセルが周波数分割二重（ＦＤＤ）サービングセルであるという条件において、前記周波数点情報は、アップリンク新規無線アクセス絶対無線周波数チャネル番号（ＮＲ−ＡＲＦＣＮ）と、ダウンリンクＮＲ−ＡＲＦＣＮとを備え、
前記第２のノードの下の前記セルがＦＤＤ隣接セルであるという条件において、前記周波数点情報は、前記ダウンリンクＮＲ−ＡＲＦＣＮを備え、
前記第２のノードの下の前記セルが時分割二重（ＴＤＤ）サービングセルまたはＴＤＤ隣接セルであるという条件において、前記周波数点情報は、ＮＲ−ＡＲＦＣＮを備えている、項目２−９のいずれか１項に記載の情報を入手する方法。
（項目１２）
前記第２のノードの下の前記セルが前記ＳＳＢを備えているという条件において、前記ダウンリンクＮＲ−ＡＲＦＣＮまたは前記ＮＲ−ＡＲＦＣＮは、前記ＳＳＢの中心周波数点またはグローバル同期チャネル番号（ＧＳＣＮ）を備え；または、前記アップリンクＮＲ−ＡＲＦＣＮ、前記ダウンリンクＮＲ−ＡＲＦＣＮ、または前記ＮＲ−ＡＲＦＣＮは、前記セルが属する広帯域キャリアの基準点Ａの絶対周波数位置を備え、
前記第２のノードの下の前記セルが前記ＳＳＢを備えていないという条件において、前記アップリンクＮＲ−ＡＲＦＣＮ、前記ダウンリンクＮＲ−ＡＲＦＣＮ、または前記ＮＲ−ＡＲＦＣＮは、前記セルが属する前記広帯域キャリアの前記基準点Ａの前記絶対周波数位置を備えている、項目１１に記載の情報を入手する方法。
（項目１３）
前記セル群識別子は、前記セル群の中のセルが属する広帯域キャリアの周波数点、前記セル群の中の前記セルが属する広帯域キャリアの基準点Ａの絶対周波数位置、または負ではない整数を備えている、項目３−５のいずれか１項に記載の情報を入手する方法。
（項目１４）
前記広帯域キャリア識別子は、前記広帯域キャリアの周波数点、前記広帯域キャリアの基準点Ａの絶対周波数位置、または負ではない整数を備えている、項目６−９のいずれか１項に記載の情報を入手する方法。
（項目１５）
前記セル役割指示は、
前記第２のノードの下の前記セルが独立型セルとしての役割を果たすかどうかの指示、前記第２のノードの下の前記セルが非独立型セルのみとしての役割を果たすかどうかの指示、前記第２のノードの下の前記セルが一次セルとしての役割を果たすかどうかの指示、前記第２のノードの下の前記セルが一次二次セルとしての役割を果たすかどうかの指示、または前記第２のノードの下の前記セルが二次セルのみとしての役割を果たすかどうかの指示のうちの少なくとも１つを備えている、項目２−９のいずれか１項に記載の情報を入手する方法。
（項目１６）
情報を入手する方法であって、前記方法は、
第１のノードによって、第２のノードによって伝送された第１のメッセージを受信することであって、前記第１のメッセージは、セル識別子と、物理的セル識別子（ＰＣＩ）または周波数点情報のうちの少なくとも１つとを搬送する、ことと、
前記第１のノードによって、前記第１のメッセージから前記第２のノードの下のセルについての情報を入手することと、
前記第１のノードによって、前記第２のノードの下の前記セルについての前記情報が採用条件を満たさないことを決定することに応答して、前記第１のノードによって、第２のメッセージを前記第２のノードに伝送することと
を含み、
前記第２のメッセージは、前記採用条件を満たさない理由、または推奨セルリストのうちの少なくとも１つを搬送する、方法。
（項目１７）
前記第１のノードによって、前記第２のノードの下の前記セルについての前記情報が前記採用条件を満たすかどうかを決定することをさらに含み、
前記第１のノードによって、前記第２のノードの下の前記セルについての前記情報が前記採用条件を満たすかどうかを決定することは、
前記第１のノードによって、前記ＰＣＩおよび前記周波数点情報に従って、前記第２のノードの下の前記セルのアップリンク初期帯域幅部分（ＢＷＰ）およびダウンリンク初期ＢＷＰを入手することと、
前記第１のノードによって、前記アップリンク初期ＢＷＰおよび前記ダウンリンク初期ＢＷＰに従って、前記第２のノードの下の前記セルが負荷条件を満たすかどうかを決定することと
を含む、項目１６に記載の情報を入手する方法。
（項目１８）
前記採用条件を満たさない前記理由は、
アップリンク初期ＢＷＰ負荷の理由、ダウンリンク初期ＢＷＰ負荷の理由、または前記アップリンク初期ＢＷＰ負荷および前記ダウンリンク初期ＢＷＰ負荷の理由のうちの少なくとも１つを備えている、項目１６に記載の情報を入手する方法。
（項目１９）
前記推奨セルリストは、
前記採用条件を満たすセルのセル識別子、前記採用条件を満たす前記セルのＰＣＩ、または前記採用条件を満たす前記セルの周波数点情報のうちの少なくとも１つを備えている、項目１５に記載の情報を入手する方法。
（項目２０）
プロセッサと、前記プロセッサに結合されたメモリとを備えている、情報を入手するための装置であって、前記メモリは、情報を入手するためのプログラムを記憶し、前記プログラムは、前記プロセッサ上で実行され、前記プロセッサによって実行されると、情報を入手するための前記プログラムは、項目１−１９のいずれか１項に記載の情報を入手する方法を実装する、装置。
（項目２１）
情報を入手するためのプログラムを記憶するように構成されたコンピュータ記憶媒体であって、プロセッサによって実行されると、前記プログラムは、項目１−１９のいずれか１項に記載の識別情報を入手する方法を実装する、コンピュータ記憶媒体。
【国際調査報告】
2021523614.tif 000022
2021523614.tif 000023
2021523614.tif 000024
2021523614.tif 000025